(57)【特許請求の範囲】
【請求項１】
選択されたデジタル情報を書き込んだ記録メディアをユーザーに提供するための処理を行う装置であって、
前記デジタル情報の選択を受け付ける選択受付手段と、
該選択を受け付けたデジタル情報を特定可能な受付情報を記憶するための処理を行う受付情報記憶手段と、
前記受付情報が記録された記録媒体を、前記ユーザーに提供するために排出する記録媒体排出手段と、
前記選択を受け付けたデジタル情報を所定の記録メディアに書き込む記録メディア書込手段と、
該記録メディア書込手段による書込の終了予定を報知する報知手段と、
前記記録メディア書込手段による書込が終了した記録メディアを複数貯留する記録メディア貯留手段と、
前記排出された記録媒体を受け付ける記録媒体受付手段と、
該記録媒体受付手段により受け付けた記録媒体に記録されている受付情報が前記受付情報記憶手段で記憶されていることを条件として、前記記録メディア貯留手段により複数貯留されている記録メディアのうち、当該受付情報から特定されるデジタル情報が書き込まれた記録メディアを、前記ユーザーに提供するために排出する記録メディア排出手段と、
を備えることを特徴とするデジタル情報提供装置。
【請求項２】
請求項１に記載したデジタル情報提供装置であって、
前記選択受付手段は、選択可能な前記デジタル情報のリストを表示する表示手段を有することを特徴とするデジタル情報提供装置。
【請求項３】
請求項１又は２に記載したデジタル情報提供装置であって、
前記記録メディアの種類に応じた複数種類の前記記録メディア書込手段を備えることを特徴とするデジタル情報提供装置。
【請求項４】
請求項１〜３のいずれか１つに記載したデジタル情報提供装置であって、
該デジタル情報提供装置は、前記ユーザーを呼出可能な呼出手段と接続され、
前記書込の終了後であって前記終了予定後に所定時間を経過した場合に、前記ユーザーの呼出を行うための信号を前記呼出手段に送信することを特徴とするデジタル情報提供装置。
【請求項５】
請求項１〜４のいずれか１つに記載したデジタル情報提供装置であって、
前記書込の終了後であって前記終了予定後に所定時間を経過した場合に、排出されていない前記記録メディアを内部留保又は強制排出することを特徴とするデジタル情報提供装置。
【請求項６】
請求項１〜５のいずれか１つに記載したデジタル情報提供装置であって、
前記記録媒体受付手段により記録媒体を受け付けた後であって前記記録メディア排出手段により記録メディアを排出する前に、前記デジタル情報の対価を決済するための処理を行うことを特徴とするデジタル情報提供装置。
【請求項７】
請求項１〜５のいずれか１つに記載したデジタル情報提供装置であって、
前記選択の受付後であって前記記録媒体受付手段により記録媒体を受け付ける前に、前記デジタル情報の対価を決済するための処理を行うことを特徴とするデジタル情報提供装置。
【請求項８】
請求項６又は７に記載したデジタル情報提供装置であって、
前記対価は、前記ユーザーが所有している現金によって支払可能であることを特徴とするデジタル情報提供装置。
【請求項９】
請求項６又は７に記載したデジタル情報提供装置であって、
前記対価は、前記ユーザーが所有している有価価値の大きさを特定可能な情報が記録された有価価値記録媒体の記録情報を読み取ることにより特定される該有価価値の大きさによって支払可能であることを特徴とするデジタル情報提供装置。
【請求項１０】
請求項１〜９のいずれか１つに記載したデジタル情報提供装置であって、
前記選択可能なデジタル情報として、発売前のデジタル情報も含むことを特徴とするデジタル情報提供装置。
【請求項１１】
請求項１〜１０のいずれか１つに記載したデジタル情報提供装置であって、
該デジタル情報提供装置は、デジタル情報配信手段と通信可能に接続され、
前記デジタル情報が選択される前に、予め前記デジタル情報配信手段から該デジタル情報の配信を受け、該デジタル情報を記憶するデジタル情報記憶手段を備え、
前記デジタル情報が選択された後に、前記デジタル情報記憶手段から該デジタル情報を読み出すことを特徴とするデジタル情報提供装置。
【請求項１２】
請求項１〜１０のいずれか１つに記載したデジタル情報提供装置であって、
該デジタル情報提供装置は、デジタル情報配信手段と通信可能に接続され、
前記デジタル情報が選択された後に、その都度、選択された該デジタル情報の配信を要求する信号を前記デジタル情報配信手段に送信し、該信号に基づいて該デジタル情報配信手段から配信される該デジタル情報を受信することを特徴とするデジタル情報提供装置。
【請求項１３】
請求項１〜１２のいずれか１つに記載したデジタル情報提供装置であって、
前記デジタル情報は、デジタル音楽情報，デジタル文字情報，及びデジタル画像情報から選択される一種以上からなる情報であることを特徴とするデジタル情報提供装置。
【請求項１４】
請求項１３に記載したデジタル情報提供装置であって、
前記デジタル情報が前記デジタル音楽情報を含む場合に、該デジタル音楽情報を再生して試聴するための試聴手段を備えることを特徴とするデジタル情報提供装置。
【請求項１５】
請求項１〜１４のいずれか１つに記載したデジタル情報提供装置であって、
前記選択されたデジタル情報に関連する情報を記録して発行する発行手段を備えることを特徴とするデジタル情報提供装置。
【請求項１６】
請求項１〜１５のいずれか１つに記載したデジタル情報提供装置であって、
前記終了予定の報知は、前記ユーザーが目視可能なように前記記録媒体に記録されることにより行われることを特徴とするデジタル情報提供装置。
【発明の詳細な説明】
【０００１】
【発明の属する技術分野】
本発明は、選択されたデジタル情報（即ちデジタルコンテンツ）をユーザー（例えば顧客等）に提供（主として販売）するための装置に関する。さらに詳しくは、デジタル情報を所定の記録メディアに書き込む終了予定を「報知」することができるようなデジタル情報提供装置に関する。
【０００２】
【従来の技術】
従来より、選択されたデジタル情報をユーザーに販売するための装置としては、例えば特開平１１−１２０２５３号公報に開示された「コンテンツ販売システム」や、特開平１１−１２０６９３号公報に開示された「通信形音楽選曲販売システム」等が知られている。これらは、コンビニエンスストア等に設置されたキオスク端末により、音楽データ等のデジタル情報の選択を受け付け、配信サーバから該デジタル情報の配信を受け、該デジタル情報をミニディスク（ＭＤ）等の所定の記録メディアに書き込み、該デジタル情報の対価の支払を受けて決済を行い、選択されたデジタル情報が書き込まれた記録メディアをユーザーに販売するものである。
【０００３】
ここで、これらの従来のシステムにおいて、デジタル情報として複数の音楽データや長篇の映画等を選択する場合には、それらをダウンロードして記録メディアに書き込むためにある程度の待ち時間が必要とされる。
【０００４】
【発明が解決しようとする課題】
しかしながら、これらの従来のシステムにおいては、かかる待ち時間を有効に活用する手段が何ら講じられていないため、ユーザーは、キオスク端末の画面に表示される宣伝広告等を見ながら待ち時間を無為に過ごさなければならなかった。
【０００５】
本発明は、このような背景のもとになされたものであり、その目的は、音楽データ等の選択されたデジタル情報（即ちデジタルコンテンツ）をユーザー（例えば顧客等）に提供（主として販売）するにあたり、該デジタル情報を所定の記録メディアに書き込むために必要とされる待ち時間を利用して、ユーザーが食事や買い物等を行うことができ、該待ち時間を有効に活用できるようなデジタル情報提供装置を提供することにある。
【０００６】
【課題を解決するための手段】
本発明は、前記課題を解決するために、次のような手段を採る。
【０００８】
まず、請求項１に係る発明は、選択されたデジタル情報を書き込んだ記録メディアをユーザーに提供するための処理を行う装置であって、前記デジタル情報の選択を受け付ける選択受付手段と、該選択を受け付けたデジタル情報を特定可能な受付情報を記憶するための処理を行う受付情報記憶手段と、前記受付情報が記録された記録媒体を、前記ユーザーに提供するために排出する記録媒体排出手段と、前記選択を受け付けたデジタル情報を所定の記録メディアに書き込む記録メディア書込手段と、該記録メディア書込手段による書込の終了予定を報知する報知手段と、前記記録メディア書込手段による書込が終了した記録メディアを複数貯留する記録メディア貯留手段と、前記排出された記録媒体を受け付ける記録媒体受付手段と、該記録媒体受付手段により受け付けた記録媒体に記録されている受付情報が前記受付情報記憶手段で記憶されていることを条件として、前記記録メディア貯留手段により複数貯留されている記録メディアのうち、当該受付情報から特定されるデジタル情報が書き込まれた記録メディアを、前記ユーザーに提供するために排出する記録メディア排出手段と、を備えることを特徴とするデジタル情報提供装置である。
【０００９】
また、請求項２に係る発明は、請求項１に記載したデジタル情報提供装置であって、前記選択受付手段は、選択可能な前記デジタル情報のリストを表示する表示手段を有することを特徴とするデジタル情報提供装置である。
【００１３】
また、請求項３に係る発明は、請求項１又は２に記載したデジタル情報提供装置であって、前記記録メディアの種類に応じた複数種類の前記記録メディア書込手段を備えることを特徴とするデジタル情報提供装置である。
【００１４】
また、請求項４に係る発明は、請求項１〜３のいずれか１つに記載したデジタル情報提供装置であって、該デジタル情報提供装置は、前記ユーザーを呼出可能な呼出手段と接続され、前記書込の終了後であって前記終了予定後に所定時間を経過した場合に、前記ユーザーの呼出を行うための信号を前記呼出手段に送信することを特徴とするデジタル情報提供装置である。
【００１５】
また、請求項５に係る発明は、請求項１〜４のいずれか１つに記載したデジタル情報提供装置であって、前記書込の終了後であって前記終了予定後に所定時間を経過した場合に、排出されていない前記記録メディアを内部留保又は強制排出することを特徴とするデジタル情報提供装置である。
【００１６】
また、請求項６に係る発明は、請求項１〜５のいずれか１つに記載したデジタル情報提供装置であって、前記記録媒体受付手段により記録媒体を受け付けた後であって前記記録メディア排出手段により記録メディアを排出する前に、前記デジタル情報の対価を決済するための処理を行うことを特徴とするデジタル情報提供装置である。
【００１７】
また、請求項７に係る発明は、請求項１〜６のいずれか１つに記載したデジタル情報提供装置であって、前記記録媒体受付手段により記録媒体を受け付ける前に、前記デジタル情報の対価を決済するための処理を行うことを特徴とするデジタル情報提供装置である。
【００１８】
また、請求項８に係る発明は、請求項６又は７に記載したデジタル情報提供装置であって、前記対価は、前記ユーザーが所有している現金によって支払可能であることを特徴とするデジタル情報提供装置である。
【００１９】
また、請求項９に係る発明は、請求項６又は７に記載したデジタル情報提供装置であって、前記対価は、前記ユーザーが所有している有価価値の大きさを特定可能な情報が記録された有価価値記録媒体の記録情報を読み取ることにより特定される該有価価値の大きさによって支払可能であることを特徴とするデジタル情報提供装置である。
【００２０】
また、請求項１０に係る発明は、請求項１〜９のいずれか１つに記載したデジタル情報提供装置であって、前記選択可能なデジタル情報として、発売前のデジタル情報も含むことを特徴とするデジタル情報提供装置である。
【００２１】
また、請求項１１に係る発明は、請求項１〜１０のいずれか１つに記載したデジタル情報提供装置であって、該デジタル情報提供装置は、デジタル情報配信手段と通信可能に接続され、前記デジタル情報が選択される前に、予め前記デジタル情報配信手段から該デジタル情報の配信を受け、該デジタル情報を記憶するデジタル情報記憶手段を備え、前記デジタル情報が選択された後に、前記デジタル情報記憶手段から該デジタル情報を読み出すことを特徴とするデジタル情報提供装置である。
【００２２】
また、請求項１２に係る発明は、請求項１〜１０のいずれか１つに記載したデジタル情報提供装置であって、該デジタル情報提供装置は、デジタル情報配信手段と通信可能に接続され、前記デジタル情報が選択された後に、その都度、選択された該デジタル情報の配信を要求する信号を前記デジタル情報配信手段に送信し、該信号に基づいて該デジタル情報配信手段から配信される該デジタル情報を受信することを特徴とするデジタル情報提供装置である。
【００２３】
また、請求項１３に係る発明は、請求項１〜１２のいずれか１つに記載したデジタル情報提供装置であって、前記デジタル情報は、デジタル音楽情報，デジタル文字情報，及びデジタル画像情報から選択される一種以上からなる情報であることを特徴とするデジタル情報提供装置である。
【００２４】
また、請求項１４に係る発明は、請求項１３に記載したデジタル情報提供装置であって、前記デジタル情報が前記デジタル音楽情報を含む場合に、該デジタル音楽情報を再生して試聴するための試聴手段を備えることを特徴とするデジタル情報提供装置である。
【００２５】
また、請求項１５に係る発明は、請求項１〜１４のいずれか１つに記載したデジタル情報提供装置であって、前記選択されたデジタル情報に関連する情報を記録して発行する発行手段を備えることを特徴とするデジタル情報提供装置である。
【００２６】
さらに、請求項１６に係る発明は、請求項１〜１５のいずれか１つに記載したデジタル情報提供装置であって、前記終了予定の報知は、前記ユーザーが目視可能なように所定の記録媒体に記録されることにより行われることを特徴とするデジタル情報提供装置である。
【００２７】
上記課題を解決するための手段の具体例を、発明の実施の形態及び図面の表記と対応させて説明する。デジタル情報提供装置にはキオスク端末１０（１０’）が対応する。デジタル情報には音楽データが対応する。終了予定には仕上がり予定の時間，時刻，又は日時等が対応する。所定の記録メディア７にはＭＤ等が対応する。
【００２８】
選択受付手段にはタッチパネル式ディスプレイ１５（ディスプレイ１５ａ及びキーボード１５ｂ）が対応する。受付情報記憶手段には制御部１２が対応する。報知手段にはタッチパネル式ディスプレイ１５（ディスプレイ１５ａ）が対応する。記録メディア書込手段には記録メディアライタ１７（１７’）が対応する。支払受付手段には支払受付装置２１（２１’）が対応する。受付情報受付手段にはカードリーダ１３が対応する。
【００２９】
表示手段にはタッチパネル式ディスプレイ１５（ディスプレイ１５ａ）が対応する。受付特定用記録媒体には引換カード５が対応し、受付特定情報にはカードＩＤが対応する。記録媒体発行手段にはカードリーダ１３が対応する。記録メディア貯留手段には記録メディアチェンジャ１８が対応する。呼出手段には店内放送装置３５が対応する。ユーザーが所有している有価価値の大きさには電子マネー，前払金，又は預貯金等の金銭が対応する。
【００３０】
デジタル情報配信手段には音楽配信サーバ４０が対応する。デジタル情報記憶手段にはハードディスク１６が対応する。試聴手段にはヘッドフォン１９が対応する。デジタル情報に関連する情報には歌詞やジャケット写真等が対応し、発行手段にはプリンタ２０や記録メディアライタ１７（１７’）が対応する。所定の記録媒体には引換カード５や確認用レシート６が対応する。
【００３１】
【発明の実施の形態】
以下、本発明の実施の形態を、図面を参照して説明する。なお、以下においては、本発明に係るデジタル情報提供装置が、ファミリーレストラン，コンビニエンスストア，レコード店，ショッピングセンター，遊技場，鉄道の駅，高速道路上のサービスエリアやパーキングエリア等の街中の各所（以下「店舗」という。）に設置されるキオスク端末１０，１０’である場合を例に説明を行う。ただし、デジタル情報提供装置は、店舗の内外に設置されるキオスク端末１０，１０’には限定されない。
【００３２】
［１．デジタル情報提供装置の概念］
まず、本発明に係るデジタル情報提供装置であるキオスク端末１０，１０’の概念について説明する。ここで、図１は、キオスク端末１０の構成の第一実施形態を表す機能ブロック図であり、図３は、キオスク端末１０’の構成の第二実施形態を表す機能ブロック図であり、図７は、キオスク端末１０，１０’の動作のパターンを表すフローチャートである。
【００３３】
なお、第一実施形態に係るキオスク端末１０と第二実施形態に係るキオスク端末１０’とは、その概念においてほぼ同様であるため、以下においては、特に断りがある場合を除き、第一実施形態に係るキオスク端末１０について説明を行い、第二実施形態に係るキオスク端末１０’についての説明を省略する。
【００３４】
キオスク端末１０は、選択されたデジタル情報（即ちデジタルコンテンツ）をユーザー（例えば顧客等）に提供（主として販売）するための装置であり、特にデジタル情報を所定の記録メディア７に書き込む終了予定を「報知」することができるものである。従って、デジタル情報の選択を受け付ける「受付」（図７の※１参照）の後に、「報知」に基づいて、該デジタル情報が書き込まれた記録メディアを提供する「引換」（図７の※２参照）を行うことにより、該デジタル情報を所定の記録メディアに書き込むために必要とされる待ち時間を利用して、ユーザーが食事や買い物等を行うことができ、該待ち時間を有効に活用できるものである。
【００３５】
即ち、このキオスク端末１０によれば、ユーザーが、例えば食事や買い物の途中等の手すきの時間を見計らってデジタル情報を選択しておき、その後に仕上がり予定の時間，時刻，又は日時等の終了予定の報知に基づいて、食事や買い物の終了後等の好みの時間を見計らってデジタル情報が書き込まれた記録メディアの引換を行うことにより、デジタル情報の書込が終了した記録メディアを直ちに受け取ることができ、またデジタル情報の書込に要する待ち時間を利用して食事や買い物等をすることができる。
【００３６】
ここでデジタル情報は、デジタルデータ化された各種の情報（即ちデジタルコンテンツ）であり、例えば後述するデジタル情報配信手段から通信回線を介して配信されるものや、後述する記憶媒体（例えば読出専用デジタル多用途ディスク（ＤＶＤ−ＲＯＭ）等）に予め記憶されているものである。このデジタル情報は、例えばデジタル音楽情報，デジタル文字情報，及びデジタル画像情報から選択される一種以上からなる情報である。
【００３７】
具体的には、デジタル音楽情報としては歌謡曲及びクラシック音楽等の音楽データがあり、デジタル文字情報としては報道記事，雑誌記事及び小説等の文字データがあり、デジタル画像情報としては報道写真及び絵画等の静止画データや無声映画等の動画データがあり、それらの組み合わせであるカラオケ及び映画等のデータも含まれる。なおデジタル情報は、例示のものには限定されず、さらにはパソコンソフト及びゲームソフト等のソフトウェアや、該ソフトウェアにかけられている暗号を解読するための鍵等も含まれる。
【００３８】
ここで本発明は、例えば複数の音楽データを選択してオリジナルのＭＤを作成する場合や、長篇の映画を選択する場合において、ユーザー及び店舗の双方にとってメリットが大きい。それらを記録メディア７に書き込むためにはある程度の待ち時間が必要とされるところ、本発明によれば、その待ち時間を利用して食事や買い物等をすることができるため、書込に要する待ち時間を有効に活用できるからである。
【００３９】
なお、以下においては、前記デジタル情報として、デジタル情報配信手段である音楽配信サーバ４０からインターネット２等の通信回線を介して配信される歌謡曲の音楽データ（以下単に「音楽データ」という。）を例に説明を行う。このような音楽データは、配信されるデータ量が数メガバイト程度と比較的少なく、またその対価が数百円程度と比較的低額なものであり、ユーザーのニーズが高いものである。
【００４０】
この音楽データは、必要に応じて、著作権を保護するために暗号化されて、音楽配信サーバ４０から配信される。この暗号化の方式としては、例えば公開鍵方式を用いることができる。これは、暗号化のための鍵である公開鍵と暗号を解読するための鍵である秘密鍵の二つの鍵を用いる方式である。
【００４１】
具体的には、二つの鍵がキオスク端末１０で作成され、公開鍵が音楽データを配信する側の音楽配信サーバ４０に送られる一方、秘密鍵が音楽データの配信を受ける側のキオスク端末１０に保存され、公開鍵で暗号化された音楽データが音楽配信サーバ４０からキオスク端末１０に配信されて、秘密鍵と共に後述する記録メディア７に記録される。この公開鍵で暗号化された音楽データは、対応する秘密鍵でしか解読できない。従って、公開鍵で暗号化された音楽データが他の記録メディアにコピーされたとしても、秘密鍵は元の記録メディア７に保存され他の記録メディアにはコピーされないため、他の記録メディアにコピーされた音楽データは解読することができず、著作権が保護される。
【００４２】
また、この音楽データは、必要に応じて、配信されるデータ量を少なくするために圧縮符号化されて、音楽配信サーバ４０から配信される。この圧縮符号化の方式としては、例えばＭＰ３方式，登録商標ＡＴＲＡＣ３方式，登録商標ＴｗｉｎＶＱ方式，登録商標ＷＭＡ方式，登録商標ＡＡＣ方式等、種々の方式を用いることができる。
【００４３】
さらに、選択可能なデジタル情報には、発売中のデジタル情報の他に、発売前のデジタル情報も含まれる。即ち、このキオスク端末１０においては、発売前のデジタル情報の予約をすることもできる。
【００４４】
このキオスク端末１０においては、デジタル情報の選択を受け付け、該選択の受付後に、該受付を特定可能な受付情報を記憶するための処理が行われる。この受付情報は、例えば選択を行ったユーザーを特定可能な情報（例えば会員ＩＤやカードＩＤ）と、選択されたデジタル情報を特定可能な情報（例えば楽曲ＩＤ），選択された日時の情報，及び／又は支払済か否かの情報等とを、相互に関連付けて生成される情報である。
【００４５】
この受付情報を特定可能な情報としては、例えば後述する会員カード４の会員ＩＤ等の所持者特定情報，後述する引換カード５のカードＩＤ等の受付特定情報，あるいは引換番号等がある。キオスク端末１０においては、この受付情報を受け付けた後に、選択されたデジタル情報が書き込まれた所定の記録メディア７が提供（排出）される。
【００４６】
さらにまた、報知は、デジタル情報の書込の終了予定を知らせることを意味し、例えば視覚，聴覚，触覚等を通じてユーザーが認識できるように、直接的に（又は例えば店舗の店員等を介して間接的に）ユーザーに知らせることをいう。具体的には、終了予定は、後述するタッチパネル式ディスプレイ１５（ディスプレイ１５ａ），引換カード５，確認用レシート６等により視覚を通じて（即ちユーザーが目視可能なように）、又はスピーカ，後述するヘッドフォン１９等により聴覚を通じて、あるいはバイブレータ等により触覚を通じて、ユーザーに報知される。
【００４７】
ここで終了予定は、デジタル情報の書込が終了して記録メディア７が仕上がる予定の時間（例えば□分後），時刻（例えば□時□分），又は日時（例えば□月□日  □時□分）等を意味する。ここで、例えばデジタル情報の書込が、デジタル情報の選択を受け付けた当日の営業時間中に終了する場合には、仕上がり予定の時間や時刻が報知され、デジタル情報の選択を受け付けた当日の営業時間中に終了しない場合（発売前のデジタル情報が予約された場合も含む）には、仕上がり予定の日時が報知される。
【００４８】
なお、デジタル情報が有料にて提供（即ち販売）される場合においては、該デジタル情報の対価は、ユーザーが所有している現金２２，又はユーザーが所有している有価価値の大きさによって支払可能である。ここで有価価値の大きさは、例えばユーザーが所有している有価価値の大きさを特定可能な情報（例えばカードＩＤ等）が記録された記録媒体（例えばＩＣカード２３，プリペイドカード２４，キャッシュカード２５及びクレジットカード２６等）の記録情報を読み取ることにより特定されるものであり、ＩＣカード２３に記録されている電子マネー，プリペイドカード２４に記録されている前払金，銀行５３において開設されているユーザーの口座に貯蓄されている預貯金，又はクレジットカード会社５４において開設されているユーザーの口座の使用限度の範囲内での信用等である。
【００４９】
なお、デジタル情報の対価は、遊技機（例えばパチンコ機等）による遊技によりユーザーの所有となった有価価値の大きさ（例えば貯玉の数や、該貯玉の数が所定の比率で変換されてなる点数等）によっても支払可能である。ここで該有価価値の大きさは、例えばユーザーの所有となった該有価価値の大きさを特定可能な情報（例えばユーザーＩＤ等）が記録された記録媒体（例えばユーザーカード等）の記録情報を読み取ることにより特定されるものである。即ち有価価値の大きさは、金銭には限定されない。
【００５０】
［２．デジタル情報提供装置の構成］
次に、本発明に係るデジタル情報提供装置であるキオスク端末１０，１０’を含むデジタル情報提供システム１，１’の構成について説明する。ここで、前述した図１及び図３の他に、図２は、キオスク端末１０の外観の第一実施形態を表す斜視図であり、図４（ａ）は、キオスク端末１０’の外観の第二実施形態を表す斜視図であり、図４（ｂ）は、記録メディアライタ１７’の一例を表す正面図であり、図５（ａ）（ｂ）（ｃ）は、それぞれ会員カード４，引換カード５，確認用レシート６の一例を表す正面図であり、図６（ａ）（ｂ）は、それぞれ音楽データのリスト８，レシート９の一例を表す正面図である。
【００５１】
なお、以下においては、第一実施形態に係るキオスク端末１０を中心に説明を行い、第二実施形態に係るキオスク端末１０’については、第一実施形態に係るキオスク端末１０と異なる四つの点（第一にタッチパネル式ディスプレイ１５に代えてディスプレイ１５ａ及びキーボード１５ｂを備える点，第二に記録メディアライタ１７及び記録メディアチェンジャ１８に代えて複数の記録メディアライタ１７’を備える点，第三に支払受付装置２１に代えて支払受付装置２１’を備える点，及び第四に外観が異なる点）についてのみ該当個所において説明を行い、その他の共通する点については同一の符号を付して説明を省略する。
【００５２】
キオスク端末１０，１０’を含むデジタル情報提供システム１，１’においては、図１又は図３に示すように、ユーザーは、会員カード４，所定の記録メディア７，現金２２，ＩＣカード２３，プリペイドカード２４，キャッシュカード２５，及びクレジットカード２６等を所有しており、またユーザーには、引換カード５，確認用レシート６，及びレシート９等が付与される。
【００５３】
会員カード４は、図５（ａ）に示すように、所持者であるユーザーを特定可能な所持者特定情報が記録された所持者特定用記録媒体であり、例えば住所，氏名，電話番号，生年月日，及び性別等の登録情報を予め登録した会員であるユーザーに対して発行される磁気カードである。なお、会員カード４の属性は磁気カードには限定されず、例えば感熱式カードやＩＣカード等でも良く、その形態もカード型には限定されず、例えばコイン型やアクセサリ型等でも良い。
【００５４】
会員カード４の磁気ストライプ部４ａには、カードＩＤ，会員ナンバー等の会員ＩＤが所持者特定情報として記録されている。この所持者特定情報である会員ＩＤが後述するカードリーダ１３で読み取られることにより、後述するハードディスク１６に記憶されている音楽データの楽曲ＩＤが特定され、受付情報が受け付けられたことになる。なお、磁気ストライプ部４ａには、キオスク端末１０，１０’のバックアップを目的として、該受付情報が記録される場合もある。
【００５５】
この会員カード４を用いることにより、受付情報がキオスク端末１０，１０’に受け付けられ、選択された音楽データが書き込まれた記録メディア７を提供することができるようになるので、例えば会員であるユーザーに対して別途に受付特定用記録媒体を発行する必要がなく、経済的なデジタル情報提供システム１，１’及びキオスク端末１０，１０’を構成できる。またユーザーが選択した音楽データを集計することにより、ユーザーの好みを把握して販売戦略に活用することもできる。なお、所持者特定用記録媒体は、ユーザーを特定可能な情報が記録されたものであれば、後述するＩＣカード２３，キャッシュカード２５，又はクレジットカード２６等でも良い。
【００５６】
引換カード５は、図５（ｂ）に示すように、デジタル情報の選択の受付を特定可能な受付特定情報が記録された受付特定用記録媒体であり、前記会員でないユーザーに対して発行される磁気カード、即ちいわゆる引換券・予約券である。なお、引換カード５の属性は磁気カードには限定されず、例えば感熱式カードやＩＣカード等でも良く、その形態もカード型には限定されず、例えばコイン型やアクセサリ型等でも良い。また、受付特定用記録媒体は、例えば受付特定情報がバーコードや引換番号として印刷されたレシート状の紙片でも良い。
【００５７】
この引換カード５の磁気ストライプ部５ａには、カードＩＤが受付特定情報として記録されている。この受付特定情報であるカードＩＤが後述するカードリーダ１３で読み取られることにより、後述するのハードディスク１６に記憶されている音楽データの楽曲ＩＤが特定されて、受付情報が受け付けられたことになる。なお、磁気ストライプ部５ａには、キオスク端末１０，１０’のバックアップを目的として、該受付情報が記録される場合もある。また、中央の情報表示部５ｂには、選択された音楽データの書込の終了予定（ここでは仕上がり予定の日時）が、ユーザーが目視可能なように記録（表示）されており、終了予定の報知が行われるようになっている。
【００５８】
この引換カード５を用いることにより、受付情報がキオスク端末１０，１０’に受け付けられ、選択された音楽データが書き込まれた記録メディア７を提供することができるようになるので、会員でないユーザーに対して受付情報を容易に特定できる手段を付与することができ、会員でなくとも利用可能なデジタル情報提供システム１，１’及びキオスク端末１０，１０’を構成できる。なお、引換カード５を発行せずに、引換番号等の受付特定情報を文字や音声等でユーザーに報知するようにしても良い。また、引換カード５を会員であるユーザーに対して発行しても良い。
【００５９】
確認用レシート６は、図５（ｃ）に示すように、終了予定が記録された確認用記録媒体であり、前記会員であるユーザーに対して確認用に発行されるレシート状の紙片である。この確認用レシート６には、選択された音楽データの書込の終了予定（ここでは仕上がり予定の日時）が、ユーザーが目視可能なように記録（表示）されており、終了予定の報知が行われるようになっている。なお、確認用レシート６を発行せずに、終了予定を文字や音声等でユーザーに報知するようにしても良い。
【００６０】
所定の記録メディア７は、音楽データを記録するための媒体、換言すればデジタル情報記録用メディアであり、ユーザーが予め所有するもの，又はユーザーがコンビニエンスストア等の店舗においてその場で購入したもの等である。
【００６１】
なお、記録メディア７は、キオスク端末１０，１０’に備えられる記録メディアストッカ（図示外）から取り出されて、後述する記録メディアライタ１７，１７’に装着されるものでも良い。この場合の記録メディア７の対価は、音楽データの対価と共に、前記現金２２又は有価価値の大きさによって支払われる。
【００６２】
この記録メディア７は、例えばミニディスク（ＭＤ），各種の不揮発性メモリ（例えば登録商標マルチメディアカード，登録商標スマートメディア，登録商標メモリスティック，登録商標ＳＤメモリカード等），フレキシブルディスク（ＦＤ），追記型コンパクトディスク（ＣＤ−Ｒ），書換型コンパクトディスク（ＣＤ−ＲＷ），書換型デジタル多用途ディスク（ＤＶＤ−ＲＡＭ，ＤＶＤ−ＲＷ），及び光磁気ディスク（ＭＯ）等である。なお、記録メディア７は、例示のものには限定されず、例えば携帯電話やメモリープレイヤ等の内蔵メモリでも良い。
【００６３】
レシート９は、図６（ｂ）に示すように、音楽データに関連する情報が記録されたものであり、音楽データの提供を受けたユーザーに対して発行されるレシート状の紙片である。このレシート９には、例えば発行年月日，発行場所，支払方法，カードナンバー，記録メディア，及び記録容量等の発行及び支払に関する情報の他に、曲名，歌手名，歌詞（１番…と表示されている部分），及びジャケット写真（図示外）等の音楽データに関連する情報が記録（表示）されている。なお、レシート９を発行せずに、音楽データに関連する情報をデジタルデータとして記録メディア７に記録して、ユーザーに提供するようにしても良い。
【００６４】
現金２２は、紙幣及び／又は硬貨である。ＩＣカード２３は、電子マネーの金額が記録されている記録媒体であり、後述する電子マネー管理会社５１によりユーザーに対して発行されるＩＣカードである。このＩＣカード２３は、電子マネー管理会社５１以外の機関が発行するもの（例えば公的機関が発行する身分証明書や、鉄道会社が発行する定期券等と兼用されるもの）でも良い。プリペイドカード２４は、前払金の金額が記録されている記録媒体、即ち前払式証票であり、後述するプリペイドカード会社５２によりユーザーに対して発行される磁気カードである。
【００６５】
キャッシュカード２５は、後述する銀行５３に開設されているユーザーの口座を特定可能な情報（例えばカードＩＤ）が記録された記録媒体であり、銀行５３によりユーザーに対して発行される磁気カードである。クレジットカード２６は、後述するクレジットカード会社５４に開設されているユーザーの口座を特定可能な情報（例えばカードＩＤ）が記録された記録媒体であり、クレジットカード会社５４によりユーザーに対して発行される磁気カードである。ここで各カードは、いずれも周知のものであるが、それらの属性や形態は特に限定されない。
【００６６】
キオスク端末１０，１０’を含むデジタル情報提供システム１，１’は、図１又は図３に示すように、店舗内に設けられるキオスク端末１０（１０’），及び店舗管理装置３０と、店舗外に設けられる音楽配信サーバ４０，電子マネー管理会社５１，プリペイドカード会社５２，銀行５３，及びクレジットカード会社５４等からなる。
【００６７】
ここでキオスク端末１０，１０’の通信部１１ａは、デジタル総合回線３ａ及びインターネット２を介して、音楽配信サーバ４０の通信部４１，電子マネー管理会社５１，プリペイドカード会社５２，銀行５３，及びクレジットカード会社５４と通信可能とされている。また、キオスク端末１０，１０’の通信部１１ｂは、ＬＡＮ３ｂを介して、店舗管理装置３０の通信部３１と通信可能とされている。なお、インターネット２，デジタル総合回線３ａ及びＬＡＮ３ｂは通信回線の一例であり、各通信部を通信可能に接続するものであれば特に限定されず、例えばインターネット２を介さなくても良く、デジタル総合回線３ａに代えてケーブルテレビ回線等の専用回線や衛星回線を用いても良い。
【００６８】
第一実施形態に係るキオスク端末１０は、図１に示すように、通信部１１ａ，１１ｂにバスを介して接続される制御部１２と、制御部１２にバスを介して接続されるカードリーダ１３，引換カードストッカ１４，タッチパネル式ディスプレイ１５，ハードディスク１６，記録メディアライタ１７，記録メディアチェンジャ１８，ヘッドフォン１９，プリンタ２０，及び支払受付装置２１等を備えている。
【００６９】
第二実施形態に係るキオスク端末１０’は、図３に示すように、通信部１１ａ，１１ｂにバスを介して接続される制御部１２と、制御部１２にバスを介して接続されるカードリーダ１３，引換カードストッカ１４，ディスプレイ１５ａとキーボード１５ｂ，ハードディスク１６，複数の記録メディアライタ１７’，ヘッドフォン１９，プリンタ２０，及び支払受付装置２１’等を備えている。
【００７０】
通信部１１ａは、図１又は図３に示すように、デジタル総合回線３ａ及びインターネット２等の通信回線を介して、キオスク端末１０，１０’と、音楽配信サーバ４０，電子マネー管理会社５１，プリペイドカード会社５２，銀行５３，及びクレジットカード会社５４との間の通信を司るものであり、特に音楽配信サーバ４０から音楽データの配信を受ける機能を備えるものである。ここで、音楽配信サーバ４０から音楽データの配信を受ける方式としては、例えば以下の二方式がある。
【００７１】
まず第一の方式として、音楽データが選択される前（例えば店舗の営業時間前，営業時間中の一定時間おき，及び／又は営業時間後等の任意のタイミング）に、選択可能な発売中の全ての音楽データが予め音楽配信サーバ４０から配信されている「事前配信」方式がある。この方式で配信された音楽データは、後述するハードディスク１６に記憶され、音楽データを書き込む前にハードディスク１６から読み出されて記録メディア７に書き込まれる。
【００７２】
ここで第一の方式の変形として、同様に音楽データが選択される前に、選択可能な発売中の一部の音楽データ（例えば選択される頻度が高い音楽データ）が予め音楽配信サーバ４０から配信されている方式がある。この方式で配信された音楽データも、後述するハードディスク１６に記憶され、音楽データを書き込む前にハードディスク１６から読み出されて記録メディア７に書き込まれる。なお、予め音楽配信サーバ４０から配信されていない音楽データ（例えば選択される頻度が低い音楽データ）が選択された場合には、次に述べる第二の方式の如く、その都度配信を受ける。
【００７３】
また第二の方式として、音楽データが選択された後に、その都度、選択された発売中の音楽データの配信を要求する信号（配信要求信号）を音楽配信サーバ４０に送信し、その配信要求信号に基づいて音楽配信サーバ４０から配信される音楽データを受信する「その都度配信」方式がある。この方式で配信された音楽データは、後述するハードディスク１６に記憶され、音楽データを書き込む前にハードディスク１６から読み出されて記録メディア７に書き込まれるか、又はハードディスク１６に記憶されずに、配信されると同時に記録メディア７に書き込まれる。
【００７４】
なお、発売前の音楽データが予約された場合には、該音楽データが発売された後に、前記二方式のいずれかにより配信される。また、後述する音楽データのリスト８がキオスク端末１０，１０’に配信されることにより、後述するハードディスク１６に記憶されているリスト８の内容が更新される。
【００７５】
通信部１１ｂは、図１又は図３に示すように、ＬＡＮ３ｂ等の通信回線を介して、キオスク端末１０，１０’と店舗管理装置３０との間の通信を司るものである。
【００７６】
制御部１２は、図１又は図３に示すように、計算機能を備える中央演算処理装置（以下「ＣＰＵ」という。），メモリ機能を備えるランダムアクセスメモリ（以下「ＲＡＭ」という。），及びシステムプログラムを備えるリードオンリーメモリ（以下「ＲＯＭ」という。）等が、バスを介して接続されたコンピュータである。
【００７７】
このＲＯＭには、例えば後述する種々の判断を行うプログラムや、後述する報知に必要とされる終了予定（即ち仕上がり予定の時間，時刻，又は日時等）の終了予定を演算するプログラムや、後述する呼出信号を生成するプログラムや、必要に応じて、配信される音楽データを暗号化するための暗号を作成する暗号化プログラム等が記憶されている。
【００７８】
また、このＲＯＭには、音楽データの対価を決済するためのプログラムが記憶されている。制御部１２は、このプログラムに基づいて作動することにより、音楽データの対価を決済する手段として構成される。なお、制御部１２は、少なくとも選択されたデジタル情報の対価を決済するための処理（実際の決済の前段階の処理）を行う決済処理手段として構成されれば良い。換言すれば、実際の決済は、必ずしもキオスク端末１０，１０’において行われる必要はなく、デジタル情報提供システム１，１’のいずれかの構成（例えば後述する店舗管理装置３０の制御部３２，銀行５３，又はクレジットカード会社５４等）において行われれば良い。
【００７９】
さらに、このＲＯＭには、受付情報を後述するハードディスク１６に記憶するためのプログラムが記憶されている。ハードディスク１６は、このプログラムに基づいて作動することにより、受付情報を記憶する手段として構成される。なお、制御部１２は、少なくとも受付情報を記憶するための処理（実際の記憶の前段階の処理）を行う受付情報記憶手段として構成されれば良い。換言すれば、実際の記憶は、必ずしもキオスク端末１０，１０’において行われる必要はなく、デジタル情報提供システム１，１’のいずれかの構成（例えば後述する店舗管理装置３０の販売管理ＤＢ３４等）において行われれば良い。
【００８０】
カードリーダ１３は、図１又は図３に示すように、受付情報受付手段の一例であり、受付情報を受け付ける機能を備え、具体的には、会員カード４の会員ＩＤ（即ち所持者特定情報）又は引換カード５のカードＩＤ（即ち受付特定情報）を読み取る機能，及び必要に応じてバックアップを目的として会員カード４又は引換カード５に受付情報を書き込む機能を備えるものである。このカードリーダ１３において、会員カード４の会員ＩＤ又は引換カード５のカードＩＤが読み取られることにより、受付情報が受け付けられる。
【００８１】
ここで、このカードリーダ１３は、記録媒体を受け付けるための記録媒体受付部を有し、この例では、図２又は図４（ａ）に示すように、会員カード４又は引換カード５を挿入し排出するためのカード挿入・排出口１３ａを有する。なお、受付情報受付手段は、同様の機能を備えるものであれば、例えば記録媒体受付部の近傍にある記録媒体と交信して非接触で記録情報を読み取り書き込むもの（例えばブルートゥースに対応したもの）でも良く、またレシート状の紙片に印刷されたバーコードを読み取るバーコードリーダでも良く、さらに引換番号等の受付特定情報をの入力を受け付けるタッチパネル式ディスプレイ１５（キーボード１５ｂ）等でも良い。
【００８２】
さらに、このカードリーダ１３は、記録媒体発行手段の一例でもあり、前記会員でないユーザーによる音楽データの選択を受け付けた場合に、音楽データの選択の受付を特定可能なカードＩＤ（即ち受付特定情報）が記録された引換カード５（即ち受付特定用記録媒体）を発行する機能を備えるものである。
【００８３】
なお、このカードリーダ１３は、所定の記録媒体の一例である引換カード５に、終了予定を記録して報知するものでもある。このカードリーダ１３を備えることにより、図５（ｂ）に示す引換カード５に、仕上がり予定の時間や時刻等（ここでは仕上がり予定の日時）の終了予定を印刷してユーザーが目視可能なように記録し、後述するカード挿入・排出口１３ａから排出してユーザーに提供し、終了予定の報知が行われる。
【００８４】
引換カードストッカ１４は、図１又は図３に示すように、受付情報が記録される前の生の引換カード５を貯蔵する機能，及びその引換カード５を取り出してカードリーダ１３に装着する機能を備えるものである。
【００８５】
タッチパネル式ディスプレイ１５は、図１に示すように、各種の情報を表示し、各種の入力を受け付けるものであり、具体的には、音楽データの選択を受け付ける選択受付手段としての機能，及び選択可能な音楽データのリスト８を表示する表示手段としての機能を備えるものである。なお、選択受付手段及び表示手段は、前記の機能を備えるものであれば、例えば各種の情報を表示するディスプレイと、各種の入力を受け付けるキーボード，音声認識装置，バーコードリーダ，スキャナ，又は入力端子等との組み合わせによるものでも良い。
【００８６】
このタッチパネル式ディスプレイ１５では、例えば後述する図１５〜図１９に示すように、各種の情報が画面上に表示され、ユーザーや店舗の店員等の操作者が画面上の適宜の部位に触れることにより、画面上に配置された透明電極が通電して各種の入力を受け付ける。具体的には、選択受付手段及び表示手段として機能する場合には、図１５のＤ７０６に示すように、リスト８が画面上に表示され、操作者の入力によって音楽データの選択（予約）が受け付けられる。
【００８７】
ここでリスト８は、図６（ａ）に示すように、発売の予定，試聴の可否，曲名，歌手名，音楽データの対価である料金，及び記録メディア７に書き込むのに必要な容量が、選択可能な曲毎に表示されている。このリスト８には、発売中の音楽データの他に、発売予定日が□月□日と表示された発売前の音楽データも示されており、発売前の音楽データの予約をすることもできる。
【００８８】
またタッチパネル式ディスプレイ１５は、報知手段の一例でもあり、音楽データの書込の終了予定を報知する機能を備えるものであり、例えば仕上がり予定の時間，時刻，又は日時等をユーザーが目視可能なように表示することにより、終了予定を報知することができるものである。具体的には、タッチパネル式ディスプレイ１５では、例えば後述する図１６のＤ７１２又はＤ７１３に示すような画面表示がなされ、仕上がり予定の時刻を報知する文字が表示される。
【００８９】
なお、報知手段は、同様の機能を備えるものであれば、例えば終了予定を表す音声を発するスピーカや後述するヘッドフォンでも良く、また終了予定を表す文字を記録した引換カード５を発行するカードリーダ１３でも良く、また終了予定を表す文字（点字を含む）を印刷した確認用レシート６を発行する後述するプリンタ２０でも良く、さらに図４（ｂ）に示すように終了予定を７セグメントのデジタル数字で表示する後述する情報表示部１７ｂでも良い。
【００９０】
一方、第二実施形態に係るキオスク端末１０’においては、図３及び図４（ａ）に示すように、前記タッチパネル式ディスプレイ１５に代えてディスプレイ１５ａとキーボード１５ｂを備える点が、第一実施形態に係るキオスク端末１０と異なる。ここでディスプレイ１５ａは、選択可能な音楽データのリスト８を表示する表示手段としての機能，及び音楽データの書込の終了予定を報知する報知手段としての機能を備え、キーボード１５ｂは、音楽データの選択をはじめとする必要事項の入力を受け付ける機能を備え、両者を併せて音楽データの選択を受け付ける選択受付手段としての機能を備える。
【００９１】
このディスプレイ１５ａとキーボード１５ｂでは、ディスプレイ１５ａによりリスト８が画面上に表示され、キーボード１５ｂを用いた操作者の入力（例えば希望の音楽データを表すコード番号等の入力）によって音楽データの選択（予約）が受け付けられる。また、このディスプレイ１５ａでは、仕上がり予定の時間，時刻，又は日時等をユーザーが目視可能なように表示することにより、終了予定が報知される。
【００９２】
ハードディスク１６は、図１又は図３に示すように、前記の如く受付情報を記憶する手段である他に、デジタル情報記憶手段の一例であり、前記「事前配信」方式又は前記「その都度配信」方式により配信される音楽データを記憶する機能を備えるものである。このハードディスク１６には、記憶されている音楽データを、受付情報に含まれる楽曲ＩＤに基づいて、ハードディスク１６内で検索して読み出すプログラムが記憶されており、また音楽データの選択のための前記リスト８も記憶されている。なお、受付情報記憶手段及びデジタル情報記憶手段は、同様の機能を備えるものであれば、他の大容量の記憶媒体でも良い。
【００９３】
なお、このキオスク端末１０，１０’においては、ハードディスク１６に記憶されている音楽データが、一定条件の下に消去されるように構成することができる。例えば、選択される頻度が低い音楽データや、配信開始後に一定期間経過した古い音楽データが、順次消去されるように構成する。このように構成すれば、ハードディスク１６の記憶容量を有効に活用することができ、空いた記憶容量を活用して、ニーズが高い音楽データを優先的に提供することができる。
【００９４】
また、これとは逆に、このキオスク端末１０，１０’においては、配信される音楽データが、一定条件の下にハードディスク１６に蓄積されるように構成することもできる。例えば、選択される頻度が高い音楽データが配信された場合に該音楽データが記憶されるように構成すれば、次に該音楽データが選択された場合に該音楽データの配信を受ける必要がないので、ニーズが高い音楽データを効率的に提供することができる。
【００９５】
記録メディアライタ１７は、図１に示すように、記録メディア書込手段の一例であり、選択された音楽データを所定の記録メディア７に書き込む（書き換える）機能，及び記録メディア７の空き容量を読み取る機能を備えるものである。この記録メディアライタ１７は、記録メディア７を受け付けるための記録メディア受付部を有し、この例では、図２に示すように、記録メディア７を挿入し排出するためのメディア挿入・排出口１７ａを有する。
【００９６】
なお、記録メディア書込手段は、同様の機能を備えるものであれば、例えば記録メディア受付部の近傍にある記録メディア７と交信して、非接触でデジタル情報を書き込むもの（例えばブルートゥースに対応したもの）でも良い。また、記録メディア書込手段は、記録メディア７を受け付ける受付部と、デジタル情報を記録メディア７に書き込む書込部が、それぞれ分離されているものでも良い。さらに、記録メディア書込手段は、単数の受付部と複数の書込部からなるものでも良く、これとは逆に、複数の受付部と単数の書込部からなるものでも良い。
【００９７】
さらにまた、この記録メディアライタ１７及びメディア挿入・排出口１７ａは、異なる記録メディア７の種類に応じた複数種類（図２に示される例では３種類）が備えられている。ただし、一の音楽データに対して複数の記録メディア７を同時に受け付けることはできないようになっている。
【００９８】
記録メディアチェンジャ１８は、図１に示すように、記録メディア貯留手段の一例であり、複数の記録メディア７を貯留可能な機能を備えるものである。具体的には、あたかもディスクチェンジ式のカラオケ装置のように、音楽データが書き込まれる前の生の記録メディア７を、又は音楽データが書き込まれた後の記録メディア７を、記録メディアライタ１７から取り出して貯留し、次なる記録メディア７を受付可能とすると共に、受付情報を受け付けた場合（即ち引換の場合）に、音楽データが書き込まれた記録メディア７を排出して提供可能とするものである。
【００９９】
この記録メディアチェンジャ１８を備えることにより、記録メディア７を貯留して次なる記録メディア７を受け付けることができるので、書込を効率良く行えるという効果を奏する。換言すれば、ある種の記録メディア７に関し、一台の記録メディアライタ１７で、複数枚の記録メディア７を受付可能とすることができる。
【０１００】
一方、第二実施形態に係るキオスク端末１０’においては、図３及び図４（ａ）に示すように、記録メディアライタ１７及び記録メディアチェンジャ１８に代えて複数の記録メディアライタ１７’を備える点が、第一実施形態に係るキオスク端末１０と異なる。ここで記録メディアライタ１７’は、前記と同様の記録メディア書込手段の一例であり、選択された音楽データを所定の記録メディア７に書き込む（書き換える）機能，及び記録メディア７の空き容量を読み取る機能を備えるものである。
【０１０１】
この複数の記録メディアライタ１７’は、図３に示すように、それぞれが制御部１２にバスを介して接続されている。また、それぞれの記録メディアライタ１７’は、図４（ｂ）に示すように、その正面に、記録メディアライタ１７’を特定するための文字（ここでは「０１」）が表示され、前記と同様のメディア挿入・排出口１７ａと、終了予定（ここでは仕上がり予定の時刻）を７セグメントのデジタル数字で表示して報知する情報表示部１７ｂと、記録メディアライタ１７’の作動状態を例えば空き状態は消灯，書込中は赤色，書込終了後は緑色等で表示するランプ１７ｃと、記録メディア７を取り出すための取出ボタン１７ｄを有する。さらに、それぞれの記録メディアライタ１７’は、必要に応じて、ハードディスク１６から読み出された音楽データを一時的に記憶する付属メモリ（図示外）を備える。この複数の記録メディアライタ１７’は、図４（ａ）に示すように、左右二列に各５個ずつの合計１０個が備えられている。
【０１０２】
ここで、それぞれの記録メディアライタ１７’では、音楽データの選択の受付の際に、ディスプレイ１５ａ上で指示された（又はユーザーにより選択された）特定の記録メディアライタ１７’により記録メディア７が受け付けられると、受付情報に含まれる楽曲ＩＤに基づいてハードディスク１６から読み出された音楽データが該記録メディアライタ１７’に送信され、必要に応じて該音楽データが前記付属メモリに一時的に記憶され、該記録メディアライタ１７’により該音楽データが該記録メディア７に書き込まれる。
【０１０３】
この複数の記録メディアライタ１７’を備えることにより、デジタル情報を複数の記録メディア７に書き込みでき、特に前記付属メモリを備えることにより、デジタル情報を複数の記録メディア７に同時並行して書き込みでき、複数の記録メディア７を受け付けた場合にも書込待ちが生じないので、書込を効率良く行える。なお、記録メディアライタ１７’は、前記と同様に異なる記録メディア７の種類に応じた複数種類が備えられるものでも良い。また、前記記録メディアチェンジャ１８をさらに備えるものでも良い。
【０１０４】
ヘッドフォン１９は、図１又は図３に示すように、試聴手段の一例であり、選択された音楽データを提供する前に、その音楽データを再生して試聴することができる機能を備えるものである。このヘッドフォン１９を備えることにより、図６（ａ）に示すリスト８で試聴の欄に「可」と表示されている曲を選択すると、その曲が所定の時間（例えば一分間）だけ再生されるので、ヘッドフォン１９を装着したユーザーがその曲を試聴することができる。従って、ユーザーがその曲の内容を確かめてから購入することができる。
【０１０５】
プリンタ２０は、図１又は図３に示すように、発行手段の一例でもあり、音楽データに関連する情報を記録して発行する機能を備えるものである。このプリンタ２０を備えることにより、図６（ｂ）に示すレシート９や図示しないラベル等に、歌詞（１番…と表示されている部分）やジャケット写真（図示外）等の音楽データに関連する情報を印刷して、図２又は図４（ａ）に示すレシート排出口２０ａから排出し、ユーザーに提供することができる。
【０１０６】
なお、この発行手段は、音楽データに関連する情報をデジタルデータとして記録メディア７に記録するもの（例えば前記記録メディアライタ１７，１７’）でも良い。このように記録された該情報は、例えばユーザーの自宅にあるパソコンにデジタルデータとして取り込んで、歌詞やジャケット写真をプリンタで印刷したり、ジャケット写真をデスクトップ上に壁紙として表示したりして、多様に利用することができる。また、記録メディア７がミニディスク（ＭＤ）である場合には、曲名データをデジタルデータとして記録することもできる。
【０１０７】
また、このプリンタ２０は、所定の記録媒体の一例である確認用レシート６に、終了予定を記録して報知するものでもある。このプリンタ２０を備えることにより、図５（ｃ）に示す確認用レシート６に、仕上がり予定の時間や時刻等（ここでは仕上がり予定の日時）の終了予定を印刷してユーザーが目視可能なように記録し、図２又は図４（ａ）に示すレシート排出口２０ａから排出してユーザーに提供し、終了予定の報知が行われる。
【０１０８】
支払受付装置２１は、図１及び図２に示すように、音楽データの対価の支払を受け付ける機能を備えるものであり、ここでは現金２２による支払を受け付けるものである。この支払受付装置２１は、紙幣の挿入を受け付ける紙幣挿入口２２ａ及び硬貨の挿入を受け付ける硬貨挿入口２２ｂ，正規の現金２２か否かを識別する識別機（図示外），現金２２の金額を計数する計数機（図示外），現金２２を収納する収納箱（図示外），及び釣銭に相当する金額の現金２２を排出する釣銭排出口２２ｃ等により構成される。
【０１０９】
一方、第二実施形態に係るキオスク端末１０’においては、図３及び図４（ａ）に示すように、支払受付装置２１に代えて支払受付装置２１’を備える点が、第一実施形態に係るキオスク端末１０と異なる。支払受付装置２１’も、音楽データの対価の支払を受け付ける機能を備えるものであり、ここでは電子マネーによる支払，前払金による支払，預貯金による支払（引き落とし），又は使用限度の範囲内で信用による支払を受け付けるものである。
【０１１０】
電子マネーによる支払を受け付ける支払受付装置２１’は、電子マネーの金額が記録されたＩＣカード２３を受け付けるＩＣカード挿入口２３ａ，正規のカードか否かを識別する識別機（図示外），及び電子マネーの金額を読み取って減算後の残金額を書き込む読取書込機（図示外）等により構成される。
【０１１１】
前払金による支払を受け付ける支払受付装置２１’は、前払金の金額が記録されたプリペイドカード２４を受け付けるプリペイドカード挿入口２４ａ，正規のカードか否かを識別する識別機（図示外），及び前払金の金額を読み取って減算後の残金額を書き込む読取書込機（図示外）等により構成される。
【０１１２】
預貯金による支払又は使用限度の範囲内での信用による支払を受け付ける支払受付装置２１’は、ユーザーの口座を特定可能な情報が記録されたキャッシュカード２５又はクレジットカード２６を受け付けるカード挿入口２５ａと、及び記録情報を読み取る読取機（図示外）等により構成される。
【０１１３】
ここで支払受付装置２１，２１’は、いずれも周知のものであるが、この支払受付装置２１，２１’を備えることにより、多様な方法によって対価の支払を受け付けることができる。なお、第一実施形態に係るキオスク端末１０において電子マネー，前払金，預貯金，及び／又は信用による支払を受け付けるように構成しても良く、第二実施形態に係るキオスク端末１０’において現金２２による支払を受け付けるように構成しても良い。また、支払受付装置２１，２１’において、現金，電子マネー，前払金，預貯金，及び／又は信用を適宜組み合わせた支払を受け付けるように構成しても良い。
【０１１４】
第一実施形態に係るキオスク端末１０は、図２に示すように、矩形を呈する筐体の内部に、前述した通信部１１ａ，１１ｂ，制御部１２，カードリーダ１３，引換カードストッカ１４，ハードディスク１６，記録メディアライタ１７，記録メディアチェンジャ１８，プリンタ２０，及び支払受付装置２１を備え（ここでは図示外）、その外部に、前述したカード挿入・排出口１３ａ，タッチパネル式ディスプレイ１５，３ヶ所のメディア挿入・排出口１７ａ，ヘッドフォン１９，レシート排出口２０ａ，紙幣挿入口２２ａ，硬貨挿入口２２ｂ，及び釣銭排出口２２ｃを備えている。
【０１１５】
一方、第二実施形態に係るキオスク端末１０’においては、図４（ａ）に示すように、その外観が第一実施形態に係るキオスク端末１０と異なる。第二実施形態に係るキオスク端末１０’は、矩形を呈する筐体の内部に、前述した通信部１１ａ，１１ｂ，制御部１２，カードリーダ１３，引換カードストッカ１４，ハードディスク１６，複数の記録メディアライタ１７’，プリンタ２０，及び支払受付装置２１’を備え（ここでは図示外）、その外部に、前述したカード挿入・排出口１３ａ，ディスプレイ１５ａ，キーボード１５ｂ，１０ヶ所のメディア挿入・排出口１７ａ（図４（ｂ）参照），ヘッドフォン１９，レシート排出口２０ａ，ＩＣカード挿入口２３ａ，プリペイドカード挿入口２４ａ，及びカード挿入口２５ａを備えている。
【０１１６】
なお、キオスク端末１０，１０’は、前記の外観を呈するものには限られず、例えばパソコン状の外観を呈するものでも良い。
【０１１７】
店舗管理装置３０は、図１又は図３に示すように、通信部３１にバスを介して接続される制御部３２と、制御部３２にバスを介して接続される会員データベース（以下「会員ＤＢ」という。）３３，販売管理データベース（以下「販売管理ＤＢ」という。）３４，及び店内放送装置３５等を備えている。
【０１１８】
通信部３１は、ＬＡＮ３ｂ等の通信回線を介して、店舗管理装置３０とキオスク端末１０，１０’との間の通信を司るものである。
【０１１９】
制御部３２は、計算機能を備えるＣＰＵ，メモリ機能を備えるＲＡＭ，及びシステムプログラムを備えるＲＯＭ等が、バスを介して接続されたコンピュータである。このＲＯＭには、例えば会員ＩＤ及び暗証番号を会員ＤＢ３３に照会するプログラム，後述する販売データ及び減算された金額データを販売管理ＤＢ３４に記録するプログラム，及び後述する呼出信号に基づいて店内放送装置３５を作動するプログラム等が記憶されている。
【０１２０】
会員ＤＢ３３は、会員カード４に記録されている記録情報（カードＩＤ，会員ナンバー等の会員ＩＤ）や、暗証番号や、会員であるユーザーの住所，氏名，電話番号，生年月日，及び性別等の登録情報を関連付けて、会員データとして蓄積するものである。なお、会員データには、例えばユーザーが選択した音楽データを集計することにより把握される、ユーザーの好みに関する情報も含まれる。
【０１２１】
販売管理ＤＢ３４は、ユーザーに提供（販売）された音楽データの楽曲ＩＤを「販売データ」として蓄積し、また音楽データの対価に相当する金額を「減算された金額データ」として蓄積するものである。この販売データ及び減算された金額データは、後述する業者間決済の際に用いられる。
【０１２２】
店内放送装置３５は、呼出手段の一例であり、ユーザーを呼出可能な機能を備えるものである。この店内放送装置３５は、キオスク端末１０，１０’と接続され、書込の終了後であって終了予定後に所定時間を経過した場合（例えば書込終了直後又は書込終了の一時間後等）に、ユーザーの呼出を行うための信号（呼出信号）をキオスク端末１０，１０’から受信して店舗内に呼出放送を流し、ユーザーを呼び出すものである。
【０１２３】
この店内放送装置３５を備えることにより、書込の終了後であって終了予定後に所定時間を経過した場合に、ユーザーを呼び出しでき、記録メディア７の引換を促すことができるので、ユーザーにとって便利であると共に、記録メディア７の滞留を防止できるので、キオスク端末１０，１０’の稼働率を上げることができる。ここで、この呼出は、書込の終了後であって終了予定後に所定時間を経過した場合に行われるものであり、たとえ終了予定後であっても仮にトラブル等が生じて書込が終了していない場合には行われないようになっている。
【０１２４】
なお、呼出手段は、店舗管理装置３０に備えられるものには限られず、キオスク端末１０，１０’自体に備えられるものでも良い。また、呼出手段は、同様の機能を備えるものであれば、例えば前記会員カード４や前記引換カード５を通信機能及びバイブレータ付きに構成し、あたかも携帯電話やポケットベルの如く、ユーザーが所有する会員カード４，又はユーザーに付与された引換カード５に呼出信号を送信してバイブレータを作動させ、その振動によりユーザーを呼び出すものでも良い。
【０１２５】
なお、このキオスク端末１０，１０’においては、書込の終了後であって終了予定後に所定時間を経過した場合に、引換・受取がなされず未だ排出されていない記録メディア７を、内部留保又は強制排出するように構成することができる。例えば、前記呼出を数回繰り返してもユーザーが記録メディア７を受取に来ない場合や、数日を経過してもユーザーが記録メディア７を受取に来ない場合に、記録メディア７をキオスク端末１０，１０’の内部における所定の場所（前記記録メディアチェンジャ１８とは異なる別の場所）に留保し、又は記録メディア７をキオスク端末１０，１０’から強制排出して店舗の店員が保管するように構成する。
【０１２６】
このように構成すれば、書込の終了後であって終了予定後に所定時間を経過した場合に、排出されていない記録メディア７を処分でき、記録メディア７の滞留を防止できるので、キオスク端末１０，１０’の稼働率を上げることができる。ここで、この内部留保又は強制排出も、書込の終了後であって終了予定後に所定時間を経過した場合に行われるものであり、たとえ終了予定後であっても仮にトラブル等が生じて書込が終了していない場合には行われないようになっている。
【０１２７】
音楽配信サーバ４０は、図１又は図３に示すように、デジタル情報配信手段の一例であり、通信部４１にバスを介して接続される制御部４２と、制御部４２にバスを介して接続される音楽データベース（以下「音楽ＤＢ」という。）４３，及びハードディスク４４等を備えており、音楽データを配信する機能を備えるものである。
【０１２８】
この音楽配信サーバ４０は、店舗外に設けられる所定の機関であり、例えばレコード会社，プロバイダ，又はインターネット関連企業等が運営する音楽配信会社である。このように、所定の機関である音楽配信サーバ４０が音楽データの配信を行うことにより、著作権侵害の問題を生ずることなく、適法に音楽データの配信を行うことができる。
【０１２９】
通信部４１は、デジタル総合回線３ａ及びインターネット２等の通信回線を介して、音楽配信サーバ４０とキオスク端末１０，１０’との間の通信を司るものであり、特に前記「事前配信」方式において、音楽データが選択される前（例えば店舗の営業時間前，営業時間中の一定時間おき，及び／又は営業時間後等の任意のタイミング）に、音楽データをキオスク端末１０，１０’に予め配信する機能，及び前記「その都度配信」方式において、キオスク端末１０，１０’から配信要求信号を受け、その配信要求信号に基づいて音楽データをキオスク端末１０，１０’に配信する機能を備えるものである。
【０１３０】
制御部４２は、計算機能を備えるＣＰＵ，メモリ機能を備えるＲＡＭ，及びシステムプログラムを備えるＲＯＭ等が、バスを介して接続されたコンピュータである。このＲＯＭには、蓄積されている音楽データを音楽ＤＢ４３内で検索して読み出すプログラムが記憶されている。また、このＲＯＭには、必要に応じて、配信する音楽データを暗号化する暗号化プログラム，配信する音楽データを圧縮符号化する圧縮符号化プログラム，及び音楽データの配信と共に課金を行う課金プログラム等が記憶されている。
【０１３１】
音楽ＤＢ４３には、音楽データが蓄積されており、必要に応じて、歌詞やジャケット写真等の音楽データに関連する情報のデータも蓄積されている。これらのデータは、予め圧縮符号化されて蓄積されているが、圧縮符号化されていなくても良い。ハードディスク４４は、キオスク端末１０，１０’から受信した、音楽データの読出及び書込の報告を記憶するものである。この報告の結果は、後述する業者間決済の際に用いられる。
【０１３２】
電子マネー管理会社５１は、ＩＣカード２３を発行し、電子マネーの使用及び残高を管理する機関である。プリペイドカード会社５２は、プリペイドカード２４を発行し、前払金の使用及び残高を管理する機関である。銀行５３は、金融機関の一例であり、キャッシュカード２５を発行し、ユーザーの口座にある預貯金の使用及び残高を管理する機関である。クレジットカード会社５４は、クレジットカード２６を発行し、ユーザーの口座の使用限度の範囲内での信用を管理すると共に、銀行５３と連携してユーザーの口座にある預貯金から音楽データの対価を引き落とす機関である。ここで各機関５１，５２，５３，５４は、いずれも周知のものであるが、この各機関を備えることにより、多様な方法によって決済を行うことができる。
【０１３３】
［３．デジタル情報提供装置の作用］
次に、本発明に係るデジタル情報提供装置であるキオスク端末１０，１０’の作用について説明する。なお、第一実施形態に係るキオスク端末１０と第二実施形態に係るキオスク端末１０’とは、その作用においてほぼ同様であるため、以下においては、特に断りがある場合を除き、第一実施形態に係るキオスク端末１０について説明を行い、第二実施形態に係るキオスク端末１０’についての説明を省略する。
【０１３４】
まず前述した図７を参照して、キオスク端末１０（及び１０’）の動作のパターンを説明する。
【０１３５】
キオスク端末１０は、図７に示すように、※１の「受付」工程と、※２の「引換」工程を経て、選択されたデジタル情報をユーザーに提供するものである。ここで、※１の「受付」工程は、音楽データ等のデジタル情報の選択を受け付ける「選択受付」と、その後に選択の受付を特定可能な受付情報を記憶するための処理を行う「記憶処理」と、音楽データの書込の終了予定を報知する「報知」と、音楽データを記録メディア７に書き込む「書込」からなる。また、※２の「引換」工程は、受付情報を受け付ける「受付情報受付」と、その後に音楽データが書き込まれた記録メディア７を提供する「提供」からなる。
【０１３６】
ここで、キオスク端末１０においては、音楽データの対価を決済するための処理を行う「決済処理」も行われるが、この「決済処理」が選択受付後から受付情報受付前の「受付」工程の際に行われる先払い方式（図７の左側のフローチャート）か、受付情報受付後から提供前の「受取」工程の際に行われる後払い方式（図７の右側のフローチャート）かによって、キオスク端末１０の動作のパターンが異なってくる。ただし、※１の「受付」工程内における決済処理，記憶処理，及び報知の順序は任意であり、図示の順序には限定されない。
【０１３７】
なお、キオスク端末１０は、前記二パターンのうちのいずれか一つのパターンのみを実行するプログラムが予め組み込まれているものでも良く、また前記二パターンのいずれも実行可能なプログラムが組み込まれており、例えば店舗の都合やユーザーのニーズ等によって、いずれか一つのパターンを実行するプログラムが選択されるものでも良い。
【０１３８】
なお、音楽配信の方式は、前記の二パターンのいずれにおいても、前記「事前配信」方式又は前記「その都度配信」方式を採用可能である。ここで「事前配信」方式を採用した場合には、その都度音楽データの配信を受ける必要がないため、通信費の削減や、音楽データの迅速なダウンロードを図ることができる。また「その都度配信」方式を採用した場合には、最新のデジタル情報（例えば報道記事や報道写真等）を提供できる。以下においては、いずれの方式においても、「書込」の前には音楽データが音楽配信サーバ４０から配信され、その音楽データがハードディスク１６に記憶されているものとする。
【０１３９】
次にキオスク端末１０（及び１０’）の動作の一例を表すフローチャートである図８〜図１４を参照して、キオスク端末１０（及び１０’）の動作を説明する。なお、図８〜図１０はキオスク端末１０（及び１０’）の動作のメインルーチンを表すものであり、図１１〜図１４はキオスク端末１０（及び１０’）の動作のサブルーチンを表すものである。
【０１４０】
図８，９は、「受付」工程（※１）に関するキオスク端末１０（及び１０’）の動作の一例を表すフローチャートである。
【０１４１】
キオスク端末１０は、図８に示すＳ１００でスタートしてから、Ｓ１０１で記録メディアライタ１７により記録メディア７を受け付け、Ｓ１０２に進む。なおキオスク端末１０’では、ディスプレイ１５ａ上で指示された（又はユーザーにより選択された）特定の記録メディアライタ１７’により記録メディア７を受け付ける。また、記録メディア７の受付は、Ｓ１０１のタイミングには限られず、例えば会員カード４を受け付けた後等、少なくとも音楽データの書込の前に行われていれば良い。さらに、記録メディア７の受付は、メディア挿入・排出口１７ａに挿入される態様には限られず、所定の通信ケーブル等を介して接続される態様や、非接触で受け付ける態様（例えばブルートゥースに対応したもの）でも良い。
【０１４２】
Ｓ１０２ではタッチパネル式ディスプレイ１５（キオスク端末１０’ではディスプレイ１５ａ）によりハードディスク１６から読み出された音楽データのリスト８を表示し、Ｓ１０３でタッチパネル式ディスプレイ１５（キオスク端末１０’ではキーボード１５ｂ）により音楽データの選択を受け付け、Ｓ１０４に進む。なお、Ｓ１０３では、複数の音楽データの選択や、発売前の音楽データの予約を受け付けることも可能である。
【０１４３】
Ｓ１０４では制御部１２により音楽データを記録メディア７に書き込むのに必要な容量が空き容量以下であるか否かの判断を行う。このＳ１０４で必要容量が空き容量以下でない（ＮＯ）と判断した場合には、Ｓ１０５で記録メディア７をメディア挿入・排出口１７ａから排出する。一方、Ｓ１０４で必要容量が空き容量以下である（ＹＥＳ）と判断した場合には、Ｓ１０６に進む。
【０１４４】
ここでキオスク端末１０が先払い方式である場合にはＳ１０６からＳ１０７の後述する「決済処理」を経てＳ１０８に進み、後払い方式である場合にはＳ１０６からＳ１０８に進む。Ｓ１０８では受付情報を生成し、Ｓ１０９に進む。この受付情報は、例えば選択を行ったユーザーを特定可能な情報（例えば会員カード４の会員ＩＤや引換カード５のカードＩＤ）と、選択された音楽データを特定可能な情報（例えば楽曲ＩＤ），選択を受け付けた日時の情報，支払済か否かの情報等とを、相互に関連付けて生成される。
【０１４５】
Ｓ１０９ではカードリーダ１３により会員カード４を受け付けたか否かの判断を行う。このＳ１０９で会員カード４を受け付けた（ＹＥＳ）と判断した場合、即ち会員であるユーザーによる選択の場合には、Ｓ１１０でカードリーダ１３により会員ＩＤを読み取り、Ｓ１１１でタッチパネル式ディスプレイ１５（キオスク端末１０’ではキーボード１５ｂ）により暗証番号を受け付け、Ｓ１１２で会員ＩＤ及び暗証番号を店舗管理装置３０に送信し、Ｓ１１３に進む。これらを受信した店舗管理装置３０は、会員ＩＤ及び暗証番号の照会を行い、正規のカードであるか否かの判断を行う。ここで正規のカードでない場合には、ＮＧ信号をキオスク端末１０に送信する。一方、正規のカードである場合には、ＯＫ信号をキオスク端末１０に送信する。
【０１４６】
Ｓ１１３では待機の後に、ＯＫ又はＮＧの信号を店舗管理装置３０から受信し、Ｓ１１４で前記受信の結果に基づいて、正規の会員カード４であるか否かの判断を行う。このＳ１１３でＮＧ信号を店舗管理装置３０から受信した場合には、Ｓ１１４で正規の会員カード４でない（ＮＯ）と判断し、Ｓ１１５で会員カード４をカード挿入・排出口１３ａから排出する。一方、Ｓ１１３でＯＫ信号を受信した場合には、正規の会員カード４である（ＹＥＳ）と判断し、Ｓ１１６に進む。
【０１４７】
図９に移り、Ｓ１１６では会員ＩＤと関連付けて受付情報をハードディスク１６に記憶し、バックアップを目的としてＳ１１７でカードリーダ１３により受付情報を会員カード４にも記録し、Ｓ１１８に進む。
【０１４８】
Ｓ１１８ではタッチパネル式ディスプレイ１５（キオスク端末１０’ではディスプレイ１５ａ）により、受付情報に基づいて書込の終了予定を報知し、Ｓ１１９に進む。具体的には、受付情報により特定される選択された音楽データのデータ量（例えばＸメガバイト）及び記録メディアライタ１７（キオスク端末１０’では記録メディアライタ１７’）による書込能力（例えばＹメガバイト／分）に基づいて、制御部１２により書込に要する所要時間（例えばＸ／Ｙ分）を演算し、その所要時間に基づいて、制御部１２により終了予定（仕上がり予定の時間又は時刻等）を演算し、タッチパネル式ディスプレイ１５（又はディスプレイ１５ａ）により仕上がり予定の時間又は時刻等の文字を表示すると共に、図示しないスピーカにより仕上がり予定の時間又は時刻等の音声を発して、書込の終了予定を報知する。なお、発売前の音楽データが予約された場合においては、該音楽データの発売後であって、該音楽データの書込が終了して記録メディア７が仕上がる予定の日時等が報知される。
【０１４９】
Ｓ１１９では会員カード４をカード挿入・排出口１３ａから排出し、Ｓ１２０でプリンタ２０により印刷した確認用レシート６をレシート排出口２０ａから排出し、Ｓ１２７に進む。このＳ１１９及びＳ１２０で会員カード４及び確認用レシート６を受け取ったユーザーは、Ｓ１１８で書込の終了予定の報知を受けているので、書込の終了をその場で待つ必要はなく、仕上がり予定の時刻まで食事や買い物等をすることができる。
【０１５０】
図８に戻り、一方、Ｓ１０９で会員カード４を受け付けていない（ＮＯ）と判断した場合、即ち会員でないユーザーによる選択の場合には、Ｓ１２１で生の引換カード５を引換カードストッカ１４から取り出してカードリーダ１３に装着し、Ｓ１２２でカードリーダ１３によりカードＩＤを読み取り、Ｓ１２３に進む。
【０１５１】
図９に移り、Ｓ１２３ではカードＩＤと関連付けて受付情報をハードディスク１６に記憶し、Ｓ１２４でカードリーダ１３により終了予定（ここでは仕上がり予定の日時）を引換カード５に記録すると共に、バックアップを目的として受付情報を引換カード５に記録し、Ｓ１２５に進む。
【０１５２】
Ｓ１２５では前述したＳ１１８と同様の処理を行い、タッチパネル式ディスプレイ１５（キオスク端末１０’ではディスプレイ１５ａ）により、受付情報に基づいて書込の終了予定を報知し、Ｓ１２６で引換カード５をカード挿入・排出口１３ａから排出し、Ｓ１２７に進む。このＳ１２６で引換カード５を受け取ったユーザーは、Ｓ１２５で書込の終了予定の報知を受けているので、書込の終了を待つ必要はなく、仕上がり予定の時刻まで食事や買い物等をすることができる。
【０１５３】
Ｓ１２７では受付情報に基づいて、音楽データをハードディスク１６から読み出し、Ｓ１２８で記録メディアライタ１７（キオスク端末１０’では記録メディアライタ１７’）により音楽データを記録メディア７に書き込み、書込の終了後に、Ｓ１２９で読出及び書込の報告を音楽配信サーバ４０に送信し、待機の後に、Ｓ１３０で読出及び書込の記録完了の報告を音楽配信サーバ４０から受信し、Ｓ１３１に進む。この報告の結果は、音楽配信サーバ４０のハードディスク４４に記憶され、後述する業者間決済の際に利用される。
【０１５４】
Ｓ１３１ではハードディスク１６に記憶されている受付情報と関連付けて書込済フラグを立て、Ｓ１３２に進む。ここで、音楽データが書き込まれた記録メディア７は、第一実施形態に係るキオスク端末１０では、記録メディアライタ１７から取り出されて、記録メディアチェンジャ１８により貯留され、第二実施形態に係るキオスク端末１０’では、記録メディアライタ１７’にそのまま保持される。
【０１５５】
Ｓ１３２では書込済フラグが立てられた後であって終了予定後に所定時間を経過した場合（例えば書込終了直後又は書込終了の一時間後等）に、制御部１２により呼出信号を生成し、Ｓ１３３で呼出信号を店舗管理装置３０に送信し、「受付」工程が終了し、待機の後、図１０に示す「引換」工程に進む。ここで呼出信号を受信した店舗管理装置３０は、店内放送装置３５により店舗内に呼出放送を行い、ユーザーを呼び出して記録メディア７の引換（受取）を促す。
【０１５６】
なお、キオスク端末１０は、さらに所定時間を経過した後（例えば前記呼出を数回繰り返してもユーザーが記録メディア７を受取に来ない場合や、数日を経過してもユーザーが記録メディア７を受取に来ない場合）に、排出されていない記録メディア７を内部留保又は強制排出する。
【０１５７】
図１０は、「引換」工程（※２）に関するキオスク端末１０（及び１０’）の動作の一例を表すフローチャートである。
【０１５８】
キオスク端末１０は、図１０に示すＳ２０１でカードリーダ１３により、会員であるユーザーによる選択の場合には会員カード４を受け付け、又は会員でないユーザーによる選択の場合には引換カード５を受け付け、Ｓ２０２に進む。
【０１５９】
Ｓ２０２では書込済であるか否か、即ちハードディスク１６に記憶されている受付情報と関連付けて書込済フラグが立てられているか否かの判断を行う。このＳ２０２で書込済でない（ＮＯ）、即ち書込済フラグが立てられておらず書込中であると判断した場合には、Ｓ２０３で会員カード４又は引換カード５をカード挿入・排出口１３ａから排出する。一方、Ｓ２０２で書込済である（ＹＥＳ）、即ち書込済フラグが立てられていると判断した場合には、Ｓ２０４に進む。
【０１６０】
Ｓ２０４では会員カード４を受け付けたか否かの判断を行う。このＳ２０４で会員カード４を受け付けた（ＹＥＳ）と判断した場合、即ち会員であるユーザーによる引換の場合には、Ｓ２０５でカードリーダ１３により会員ＩＤ及び受付情報を読み取り、Ｓ２０６で会員ＩＤ及び受付情報をハードディスク１６に記憶されている受付情報と照合し、Ｓ２０９に進む。一方、Ｓ２０４で会員カード４を受け付けていない（ＮＯ）と判断した場合、即ち引換カード５を受け付けており会員でないユーザーによる引換の場合には、Ｓ２０７でカードリーダ１３によりカードＩＤ及び受付情報を読み取り、Ｓ２０８でカードＩＤ及び受付情報をハードディスク１６に記憶されている受付情報と照合し、Ｓ２０９に進む。
【０１６１】
Ｓ２０９では照合の結果に基づいて、会員カード４又は引換カード５が正当であるか否か、即ち受付情報が受け付けられたか否かの判断を行う。このＳ２０９で会員カード４又は引換カード５が正当である（ＹＥＳ）、即ち受付情報が受け付けられたと判断した場合には、Ｓ２１１に進む。一方、Ｓ２０９で会員カード４又は引換カード５が正当でない（ＮＯ）、即ち受付情報が受け付けられていないと判断した場合には、Ｓ２１０で会員カード４又は引換カード５をカード挿入・排出口１３ａから排出する。
【０１６２】
ここでキオスク端末１０が先払い方式である場合、即ち支払済の場合にはＳ２１１からＳ２１３に進み、後払い方式である場合、即ち決済処理が済んでいない場合にはＳ２１１からＳ２１２の後述する「決済処理」を経てＳ２１３に進む。
【０１６３】
Ｓ２１３では会員カード４が有るか否か、即ち会員カード４を受け付けているか否かの判断を行う。このＳ２１３で会員カード４が有る（ＹＥＳ）、即ち会員カード４を受け付けていると判断した場合には、Ｓ２１４でカードリーダ１３により受付情報を消去した会員カード４をカード挿入・排出口１３ａから排出し、Ｓ２１６に進む。一方、Ｓ２１３で会員カード４が無い（ＮＯ）、即ち会員カード４を受け付けておらず引換カード５を受け付けていると判断した場合には、Ｓ２１５で引換カード５をキオスク端末１０の内部に取り込み、Ｓ２１６に進む。
【０１６４】
Ｓ２１６では音楽データが書き込まれた記録メディア７をメディア挿入・排出口１７ａから排出（提供）し、Ｓ２１７に進む。ここで、記録メディア７は、第一実施形態に係るキオスク端末１０では、記録メディアチェンジャ１８から取り出されて記録メディアライタ１７から排出され、第二実施形態に係るキオスク端末１０’では、記録メディアライタ１７’からそのまま排出される。Ｓ２１７ではプリンタ２０により印刷したレシート９をレシート排出口２０ａから排出し、Ｓ２１８でエンドに至り、「引換」工程が終了する。
【０１６５】
図１１は、対価を現金２２によって支払う場合における「決済処理」に関するキオスク端末１０の動作の一例を表すフローチャートである。
【０１６６】
図１及び図２に示すキオスク端末１０は、図１１に示すＳ３００でスタートしてから、Ｓ３０１でタッチパネル式ディスプレイ１５により音楽データの対価を表示し、Ｓ３０２で支払受付装置２１の紙幣挿入口２２ａ及び硬貨挿入口２２ｂにより現金２２の挿入を受け付け、Ｓ３０３に進む。
【０１６７】
Ｓ３０３では識別機（図示外）により正規の現金２２であるか否かの判断を行う。このＳ３０３で正規の現金２２でない（ＮＯ）と判断した場合には、Ｓ３０４で紙幣を紙幣挿入口２２ａから排出し、又は硬貨を釣銭排出口２２ｃから排出する。一方、Ｓ３０３で正規の現金２２である（ＹＥＳ）と判断した場合には、Ｓ３０５で計数機（図示外）により現金２２の金額を計数し、Ｓ３０６で収納箱（図示外）により現金２２を収納し、Ｓ３０７に進む。
【０１６８】
Ｓ３０７では制御部１２により計数した現金の金額が音楽データの対価以上であるか否かの判断を行う。このＳ３０７で前記金額が前記対価以上でない（ＮＯ）と判断した場合には、Ｓ３０２に戻って追加の現金２２の挿入を受け付ける。一方、Ｓ３０７で前記金額が前記対価以上である（ＹＥＳ）と判断した場合には、Ｓ３０８で制御部１２により音楽データの対価を計数した現金の金額から減算し、Ｓ３０９に進む。
【０１６９】
Ｓ３０９では制御部１２により釣銭があるか否かの判断を行う。このＳ３０９で釣銭がある（ＹＥＳ）と判断した場合には、Ｓ３１０で釣銭の金額に相当する現金２２を釣銭排出口２２ｃから排出し、Ｓ３１１に進む。一方、Ｓ３０９で釣銭がない（ＮＯ）と判断した場合には、Ｓ３１１に進む。
【０１７０】
Ｓ３１１では販売データ及び減算した金額データを店舗管理装置３０に送信し、待機の後に、Ｓ３１２でそれらの記録完了の報告を店舗管理装置３０から受信し、Ｓ３１３に進む。この販売データ及び減算した金額データは、店舗管理装置３０の販売管理ＤＢ３４に記憶され、後述する業者間決済の際に利用される。
【０１７１】
Ｓ３１３ではハードディスク１６に記憶されている受付情報と関連付けて支払済フラグを立て、Ｓ３１４でエンドに至り、「決済処理」が終了する。なお、現金による支払及び決済処理の手順は、上記の手順には限定されない。
【０１７２】
図１２は、対価を電子マネー（ＩＣカード２３）によって支払う場合における「決済処理」に関するキオスク端末１０’の動作の一例を表すフローチャートである。
【０１７３】
図３及び図４（ａ）に示すキオスク端末１０’は、図１２に示すＳ４００でスタートしてから、Ｓ４０１でディスプレイ１５ａにより音楽データの対価を表示し、Ｓ４０２で支払受付装置２１’のＩＣカード挿入口２３ａによりＩＣカード２３の挿入を受け付け、Ｓ４０３に進む。なお、ＩＣカード２３の受付は、ＩＣカード挿入口２３ａに挿入される態様には限られず、所定の通信ケーブル等を介して接続される態様や、非接触で受け付ける態様（例えばブルートゥースに対応したもの）でも良い。
【０１７４】
Ｓ４０３では識別機（図示外）により正規のＩＣカード２３であるか否かの判断を行う。このＳ４０３で正規のＩＣカード２３でない（ＮＯ）と判断した場合には、Ｓ４０４でＩＣカード２３をＩＣカード挿入口２３ａから排出する。一方、Ｓ４０３で正規のＩＣカード２３である（ＹＥＳ）と判断した場合には、Ｓ４０５で読取書込機（図示外）によりＩＣカード２３に記録されている電子マネーの金額を読み取り、Ｓ４０６に進む。
【０１７５】
Ｓ４０６では制御部１２により読み取った電子マネーの金額が音楽データの対価以上であるか否かの判断を行う。このＳ４０６で前記金額が前記対価以上でない（ＮＯ）と判断した場合には、Ｓ４０２に戻って追加のＩＣカード２３の挿入を受け付けるか、又はＩＣカード２３をＩＣカード挿入口２３ａから排出して別のＩＣカード２３の挿入を受け付ける。一方、Ｓ４０６で前記金額が前記対価以上である（ＹＥＳ）と判断した場合には、Ｓ４０７で制御部１２により音楽データの対価を読み取った電子マネーの金額から減算し、Ｓ４０８で読取書込機（図示外）により減算後の残金額をＩＣカード２３に書き込み、Ｓ４０９に進む。
【０１７６】
Ｓ４０９では販売データ及び減算した金額データを店舗管理装置３０に送信し、待機の後に、Ｓ４１０でそれらの記録完了の報告を店舗管理装置３０から受信し、Ｓ４１１に進む。この販売データ及び減算した金額データは、店舗管理装置３０の販売管理ＤＢ３４に記憶され、後述する業者間決済の際に利用される。Ｓ４１１では減算した金額データを電子マネー管理会社５１に送信し、待機の後に、Ｓ４１２でその記録完了の報告を電子マネー管理会社５１から受信し、Ｓ４１３に進む。この減算した金額データは、電子マネー管理会社５１において記憶され、後述する業者間決済の際に利用される。
【０１７７】
Ｓ４１３ではＩＣカード２３をＩＣカード挿入口２３ａから排出し、Ｓ４１４でハードディスク１６に記憶されている受付情報と関連付けて支払済フラグを立て、Ｓ４１５でエンドに至り、「決済処理」が終了する。なお、電子マネーによる支払及び決済処理の手順は、上記の手順には限定されない。
【０１７８】
図１３は、対価を前払金（プリペイドカード２４）によって支払う場合における「決済処理」に関するキオスク端末１０’の動作の一例を表すフローチャートである。
【０１７９】
図３及び図４（ａ）に示すキオスク端末１０’は、図１３に示すＳ５００でスタートしてから、Ｓ５０１でディスプレイ１５ａにより音楽データの対価を表示し、Ｓ５０２で支払受付装置２１’のプリペイドカード挿入口２４ａによりプリペイドカード２４の挿入を受け付け、Ｓ５０３に進む。なお、プリペイドカード２４の受付は、プリペイドカード挿入口２４ａに挿入される態様には限られず、所定の通信ケーブル等を介して接続される態様や、非接触で受け付ける態様（例えばブルートゥースに対応したもの）でも良い。
【０１８０】
Ｓ５０３では識別機（図示外）により正規のプリペイドカード２４であるか否かの判断を行う。このＳ５０３で正規のプリペイドカード２４でない（ＮＯ）と判断した場合には、Ｓ５０４でプリペイドカード２４をプリペイドカード挿入口２４ａから排出する。一方、Ｓ５０３で正規のプリペイドカード２４である（ＹＥＳ）と判断した場合には、Ｓ５０５で読取書込機（図示外）によりプリペイドカード２４に記録されている前払金の金額を読み取り、Ｓ５０６に進む。
【０１８１】
Ｓ５０６では制御部１２により読み取った前払金の金額が音楽データの対価以上であるか否かの判断を行う。このＳ５０６で前記金額が前記対価以上でない（ＮＯ）と判断した場合には、Ｓ５０２に戻って追加のプリペイドカード２４の挿入を受け付けるか、又はプリペイドカード２４をプリペイドカード挿入口２４ａから排出して別のプリペイドカードの挿入を受け付ける。一方、Ｓ５０６で前記金額が前記対価以上である（ＹＥＳ）と判断した場合には、Ｓ５０７で制御部１２により音楽データの対価を読み取った前払金の金額から減算し、Ｓ５０８で読取書込機（図示外）により減算後の残金額をプリペイドカード２４に書き込み、Ｓ５０９に進む。
【０１８２】
Ｓ５０９では販売データ及び減算した金額データを店舗管理装置３０に送信し、待機の後に、Ｓ５１０でそれらの記録完了の報告を店舗管理装置３０から受信し、Ｓ５１１に進む。この販売データ及び減算した金額データは、店舗管理装置３０の販売管理ＤＢ３４に記憶され、後述する業者間決済の際に利用される。Ｓ５１１では減算した金額データをプリペイドカード会社５２に送信し、待機の後に、Ｓ５１２でその記録完了の報告をプリペイドカード会社５２から受信し、Ｓ５１３に進む。この減算した金額データは、プリペイドカード会社５２において記憶され、後述する業者間決済の際に利用される。
【０１８３】
Ｓ５１３ではプリペイドカード２４をプリペイドカード挿入口２４ａから排出し、Ｓ５１４でハードディスク１６に記憶されている受付情報と関連付けて支払済フラグを立て、Ｓ５１５でエンドに至り、「決済処理」が終了する。なお、前払金による支払及び決済処理の手順は、上記の手順には限定されない。
【０１８４】
図１４は、対価を預貯金（キャッシュカード２５）又は信用（クレジットカード２６）によって支払う場合における「決済処理」に関するキオスク端末１０’の動作の一例を表すフローチャートである。
【０１８５】
図３及び図４（ａ）に示すキオスク端末１０’は、図１４に示すＳ６００でスタートしてから、Ｓ６０１でディスプレイ１５ａにより音楽データの対価を表示し、Ｓ６０２で支払受付装置２１’のカード挿入口２５ａによりキャッシュカード２５又はクレジットカード２６の挿入を受け付け、Ｓ６０３に進む。なお、キャッシュカード２５又はクレジットカード２６の受付は、カード挿入口２５ａに挿入される態様には限られず、所定の通信ケーブル等を介して接続される態様や、非接触で受け付ける態様（例えばブルートゥースに対応したもの）でも良い。
【０１８６】
Ｓ６０３では読取機（図示外）によりキャッシュカード２５又はクレジットカード２６に記録された記録情報を読み取り、Ｓ６０４でキーボード１５ｂにより暗証番号の入力を受け付け、Ｓ６０５に進む。
【０１８７】
Ｓ６０５ではａ）記録情報，ｂ）暗証番号，及びｃ）音楽データの対価を銀行５３又はクレジットカード会社５４に送信し、待機の後に、Ｓ６０６に進む。これらを受信した銀行５３又はクレジットカード会社５４は、記録情報及び暗証番号の照会を行うと共に、ユーザーの口座を特定し、正規のカードであるか否か，又は銀行５３の口座にある残高が不足しているか否か若しくはクレジットカード会社５４の口座の使用限度を超過しているか否かの判断が行う。
【０１８８】
ここで正規のカードでない場合，及び残高不足の場合，若しくは使用限度超過である場合（信用が与えられない場合）には、その旨の信号をキオスク端末１０’に送信する。一方、正規のカードであり、かつ残高不足でない場合，若しくは使用限度超過でない場合（信用が与えられる場合）には、音楽データの対価を銀行５３のユーザーの口座にある預貯金から引き落とし、又は音楽データの対価をクレジットカード会社５４のユーザーの口座の使用限度の金額から減算し、減算された金額データをキオスク端末１０’に送信する。
【０１８９】
Ｓ６０６ではａ）正規のカードでない旨の信号，ｂ）残高不足若しくは使用限度超過である旨の信号，又はｃ）減算した金額データのいずれかを受信し、Ｓ６０７で制御部１２により減算した金額データを受信したか否かの判断を行う。このＳ６０７で減算した金額データを受信していない（ＮＯ）、即ちａ）又はｂ）の信号を受信したと判断した場合には、Ｓ６０８でキャッシュカード２５又はクレジットカード２６をカード挿入口２５ａから排出する。一方、Ｓ６０７で減算した金額データを受信した（ＹＥＳ）と判断した場合には、Ｓ６０９に進む。
【０１９０】
Ｓ６０９では販売データ及び減算した金額データを店舗管理装置３０に送信し、待機の後に、Ｓ６１０でそれらの記録完了の報告を店舗管理装置３０から受信し、Ｓ６１１に進む。この販売データ及び減算した金額データは、店舗管理装置３０の販売管理ＤＢ３４に記憶され、後述する業者間決済の際に利用される。
【０１９１】
Ｓ６１１ではキャッシュカード２５又はクレジットカード２６をカード挿入口２５ａから排出し、Ｓ６１２でハードディスク１６に記憶されている受付情報と関連付けて支払済フラグを立て、Ｓ６１３でエンドに至り、「決済処理」が終了する。ここでクレジットカード２６を用いて支払われた音楽データの対価は、事後的に銀行５３のユーザーの口座にある預貯金から引き落とされる。なお、預貯金又は信用による支払及び決済処理の手順は、上記の手順には限定されない。
【０１９２】
なお、以上においては、例えば以下のような手順で業者間決済（店舗と音楽配信サーバ４０との間の決済，及び店舗と各機関５１，５２，５３，５４との間の決済）が行われる。まず音楽配信サーバ４０は、ハードディスク４４に記憶されている読出及び書込の報告の結果に基づいて、音楽データの対価の支払を店舗に要求する。次に支払を要求された店舗は、販売管理ＤＢ３４に記憶されている販売データ及び減算された金額データに基づいて確認を行い、音楽データの対価を音楽配信サーバ４０に支払う。
【０１９３】
一方、店舗は、販売管理ＤＢ３４に記憶されている減算された金額データに基づいて、音楽データの対価の支払を各機関に要求する。次に支払を要求された各機関は、各機関において記憶されている減算された金額データに基づいて確認を行い、音楽データの対価を店舗に支払う。なお、音楽データの対価が現金により支払われている場合には、店舗の手元に現金があるため、各機関への支払の要求及び各機関からの支払は行われない。
【０１９４】
なお業者間決済の手順は、この例には限定されず、例えば店舗と各機関との間の決済を先に行い店舗と音楽配信サーバ４０との間の決済を後に行っても良く、また音楽配信サーバ４０と各機関との間で直接的な決済を行っても良く、さらに店舗，音楽配信サーバ４０，及び各機関の間に決済会社が介在する間接的な決済を行っても良い。なお決済は、この例のような事後的な決済以外に、オンラインによるリアルタイムの決済でも良い。また決済においては、適宜の手数料の徴収が行われても良い。
【０１９５】
次に図１５〜図１９を参照して、操作者から見たキオスク端末１０（及び１０’）の動作を説明する。なお、以下においては、後払い方式のパターンについて説明を行う。また、キオスク端末１０（及び１０’）を操作する操作者がユーザーである場合を例に説明を行うが、操作者は例えば店舗の店員であっても良い。
【０１９６】
図１５，１６は、「受付」工程（※１）に関する後払い方式のキオスク端末１０（及び１０’）の画面表示の一例を表す正面図である。
【０１９７】
キオスク端末１０においては、図１５に示すＤ７０１でタッチパネル式ディスプレイ１５により「受付」「引換」の文字と共に、ユーザーの興味を引くような今月の新譜のリスト８やプロモーションビデオ等が表示されており、ユーザーが「受付」の部位に触れると、キオスク端末１０ではＤ７０２に進み、キオスク端末１０’ではＤ７０３に進む。なお、キオスク端末１０’においては、以下に示す必要事項の表示はディスプレイ１５ａにより行われ、必要事項の入力はキーボード１５ｂにより行われる。
【０１９８】
Ｄ７０２では記録メディア７の挿入（受付）を指示する文字が表示され、ユーザーが記録メディア７（ここではＭＤ）を所定のメディア挿入・排出口１７ａに挿入すると、Ｄ７０４に進む。一方、Ｄ７０３では指定の又は空いている記録メディアライタ１７’（ここでは指定された○番）への記録メディア７の挿入（受付）を指示する文字が表示され、ユーザーが記録メディア７（ここではＭＤ）を指定のメディア挿入・排出口１７ａに挿入すると、Ｄ７０４に進む。
【０１９９】
Ｄ７０４では、ユーザーに希望の音楽データの選択方法を問う文字が表示される。このＤ７０４でユーザーが「今月の新譜から選択」の部位に触れると、Ｄ７０６に進む。一方、Ｄ７０４でユーザーが「曲名から選択」又は「歌手名から選択」の部位に触れると、Ｄ７０５で希望の曲又は歌手の頭文字を問う文字が表示され、ユーザーが「五十音キー」の適宜の部位に触れて頭文字を入力すると、Ｄ７０６に進む。
【０２００】
Ｄ７０６ではリスト８と共に、ユーザーに希望の音楽データ（曲）の選択（予約）を指示する文字が表示される。このリスト８には、図６（ａ）にも示すように、発売の予定，試聴の可否，曲名，歌手名，音楽データの対価である料金，及び記録メディア７に書き込むのに必要な容量が、選択可能な曲毎に表示されている。
【０２０１】
このＤ７０６でユーザーが、希望の曲の必要容量が空き容量以下となるように考慮しながら、リスト８上の適宜の部位に触れて（又はキーボード１５ｂを操作して）単数又は複数の希望の曲を選択し、「決定」の部位に触れると、Ｄ７０７に進む。なお、このＤ７０６で、発売予定日が「□月□日」と表示された曲を選択すると、ユーザーは発売前のその曲を予約することができる。また、希望の曲を選択し、かつ「試聴」の部位に触れると、ヘッドフォン１９を装着したユーザーはその曲を試聴することができる。
【０２０２】
図１６に移り、Ｄ７０７では選択された曲の曲名及び歌手名と共に、ユーザーに選択の正否を確認する文字が表示され、ユーザーが「はい」の部位に触れ、選択が正当である旨を回答すると、必要容量が空き容量以下であるか否かの判断が行われる。このＤ７０７でそれがＮＯと判断される場合には、Ｄ７０８でその旨が表示されると共に、記録メディア７がメディア挿入・排出口１７ａから排出される。一方、Ｄ７０７でそれがＹＥＳと判断される場合には、Ｄ７０９に進む。
なお、Ｄ７０７でユーザーが「いいえ」の部位に触れ、選択が正当でない旨を回答すると、Ｄ７０６（又はＤ７０４）の選択画面に戻る。
【０２０３】
Ｄ７０９では会員カード４を所有しているか否かを問う文字が表示される。このＤ７０９でユーザーが「はい」の部位に触れ、会員カード４を所有している旨を回答すると、Ｄ７１０で会員カード４の挿入（受付）を指示する文字と共に、暗証番号の入力（受付）を指示する文字が表示され、ユーザーが「テンキー」の適宜の部位に触れて暗証番号を入力すると、暗証番号が「＊＊＊＊」のように伏せ字で表示され、ユーザーが「確認」の部位に触れると、正規の会員カード４であるか否かの判断が行われる。
【０２０４】
このＤ７１０で正規の会員カード４でないと判断される場合には、Ｄ７１１でその旨が表示されると共に、会員カード４がカード挿入・排出口１３ａから排出される。一方、Ｄ７１０で正規の会員カード４であると判断される場合には、Ｄ７１２で会員カード４及び確認用レシート６の取出を指示する文字，及び書込の終了予定（仕上がり予定）の時刻を報知する文字が表示され、ユーザーが会員カード４をカード挿入・排出口１３ａから取り出すと共に、確認用レシート６をレシート排出口２０ａから取り出すと、Ｄ７１４で受取の期限を示す文字が表示され、「受付」工程が終了する。
【０２０５】
一方、Ｄ７０９でユーザーが「いいえ」の部位に触れ、会員カード４を所有していない旨を回答すると、Ｄ７１３で引換カード５の取出を指示する文字，及び書込の終了予定（ここでは仕上がり予定の時刻）を報知する文字が表示され、ユーザーが引換カード５をカード挿入・排出口１３ａから取り出すと、Ｄ７１４で受取の期限を示す文字が表示され、「受付」工程が終了する。
【０２０６】
ここで会員カード４及び確認用レシート６，又は引換カード５を受け取ったユーザーは、Ｄ７１２又はＤ７１３で書込の終了予定の報知を受けているので、書込の終了をその場で待つ必要はなく、仕上がり予定の時刻まで食事や買い物等をすることができる。
【０２０７】
図１７〜１９は、「引換」工程（※２）に関する後払い方式のキオスク端末１０（及び１０’）の画面表示の一例を表す正面図である。
【０２０８】
キオスク端末１０においては、図１７に示すＤ８０１（図１５に示すＤ７０１と同様）でユーザーが「引換」の部位に触れると、Ｄ８０２に進む。なお、キオスク端末１０’においては、以下に示す必要事項の表示はディスプレイ１５ａにより行われ、必要事項の入力はキーボード１５ｂにより行われる。
【０２０９】
Ｄ８０２では会員カード４又は引換カード５の挿入（受付）を指示する文字が表示され、ユーザーが会員カード４又は引換カード５をカード挿入・排出口１３ａに挿入すると、書込が終了しているか否か（即ち受付情報と関連付けて書込済フラグが立てられているか否か），及び会員カード４又は引換カード５が正当であるか否か（即ち受付情報が受け付けられているか否か）の判断が行われる。
【０２１０】
このＤ８０２で書込が終了していない，又は会員カード４又は引換カード５が正当でないと判断される場合には、Ｄ８０３でその旨が表示されると共に、会員カード４又は引換カード５がカード挿入・排出口１３ａから排出される。一方、Ｄ８０３で書込が終了しており、かつ会員カード４又は引換カード５が正当であると判断される場合には、Ｄ８０４に進む。
【０２１１】
Ｄ８０４では選択された曲の曲名及び歌手名と共に、ユーザーに選択の正否を確認する文字が表示され、ユーザーが「はい」の部位に触れ、選択が正当である旨を回答すると、キオスク端末１０ではＤ８０５に進んで現金２２による対価の支払が行われ、キオスク端末１０’ではＤ８０６に進んで電子マネー（ＩＣカード２３），前払金（プリペイドカード２４），預貯金（キャッシュカード２５），又は信用（クレジットカード２６）による対価の支払が行われて、決済処理が行われる。
【０２１２】
Ｄ８０５では音楽データの対価と共に、現金２２の挿入（受付）を指示する文字が表示され、ユーザーが現金２２を紙幣挿入口２２ａ及び硬貨挿入口２２ｂに挿入すると、図１８に移り、Ｄ８１３で音楽データの対価が減算されると共に（挿入金額−料金＝釣銭）、釣銭の取出を指示する文字が表示され、ユーザーが釣銭を釣銭排出口２２ｃから取り出すと、図１９に進む。
【０２１３】
図１７に戻り、Ｄ８０６では音楽データの対価と共に、対価の支払方法を問う文字が表示され、ユーザーが「ａ）ＩＣカード（電子マネー）」又は「ｂ）プリペイドカード」の部位に触れるとＤ８０７に進み、「ｃ）キャッシュカード」又は「ｄ）クレジットカード」の部位に触れるとＤ８１０に進む。ここでユーザーは、表示される音楽データの対価を見て、例えば低額の場合にはａ）又はｂ）の方法によって支払い、高額の場合にはｃ）又はｄ）の方法によって支払うというように、対価の高低を考慮して支払方法を選択することができる。
【０２１４】
図１８に移り、Ｄ８０７ではＩＣカード２３又はプリペイドカード２４の挿入（受付）を指示する文字が表示され、ユーザーがＩＣカード２３をＩＣカード挿入口２３ａに挿入するか、又はプリペイドカード２４をプリペイドカード挿入口２４ａに挿入すると、正規のＩＣカード２３又はプリペイドカード２４であるか否か，及び電子マネーの金額又は前払金の金額が音楽データの対価以上であるか否かの判断が行われる。
【０２１５】
このＤ８０７で正規のＩＣカード２３又はプリペイドカード２４でない、又は前記金額が前記対価以上でない（即ち残高不足である）と判断される場合には、Ｄ８０８でその旨が表示されると共に、ＩＣカード２３がＩＣカード挿入口２３ａから排出され、又はプリペイドカード２４がプリペイドカード挿入口２４ａから排出される。一方、Ｄ８０７で正規のＩＣカード２３又はプリペイドカード２４であり、かつ前記金額が前記対価以上であると判断される場合には、Ｄ８０９で音楽データの対価が減算され（残高−料金＝残金）、Ｄ８１４でＩＣカード２３又はプリペイドカード２４の取出を指示する文字が表示され、ユーザーがＩＣカード２３をＩＣカード挿入口２３ａから取り出し、又はプリペイドカード２４をプリペイドカード挿入口２４ａから取り出すと、図１９に進む。
【０２１６】
一方、Ｄ８１０ではキャッシュカード２５又はクレジットカード２６の挿入（受付）を指示する文字と共に、暗証番号の入力（受付）を指示する文字が表示され、ユーザーがキャッシュカード２５又はクレジットカード２６をカード挿入口２５ａに挿入し、キーボード１５ｂの「テンキー」の適宜の部位に触れて暗証番号を入力すると、暗証番号が「＊＊＊＊」のように伏せ字で表示され、ユーザーが「確認」の部位に触れると、正規のキャッシュカード２５又はクレジットカード２６であるか否か，及びユーザーの口座の預貯金の金額又は使用限度が音楽データの対価以上であるか否かの判断が行われる。
【０２１７】
このＤ８１０で正規のキャッシュカード２５又はクレジットカード２６でない、又は前記金額・使用限度が前記対価以上でない（即ち残高不足又は使用限度超過である）と判断される場合には、Ｄ８１１でその旨が表示されると共に、キャッシュカード２５又はクレジットカード２６がカード挿入口２５ａから排出される。一方、Ｄ８１０で正規のキャッシュカード２５又はクレジットカード２６であり、かつ前記金額・使用限度が前記対価以上であると判断される場合には、Ｄ８１２で音楽データの対価が減算され（残高−料金＝残金）、Ｄ８１４でキャッシュカード２５又はクレジットカード２６の取出を指示する文字が表示され、ユーザーがキャッシュカード２５又はクレジットカード２６をカード挿入口２５ａから取り出すと、図１９に進む。
【０２１８】
図１８のＤ８１３又はＤ８１４から図１９に移り、会員カード４が受け付けられており会員カード４が有る場合には、Ｄ８１５で会員カード４の取出を指示する文字が表示され、会員カード４をカード挿入・排出口１３ａから取り出すと、キオスク端末１０ではＤ８１６に進み、キオスク端末１０’ではＤ８１７に進む。一方、引換カード５が受け付けられており会員カード４が無い場合には、キオスク端末１０ではＤ８１６に進み、キオスク端末１０’ではＤ８１７に進む。
【０２１９】
Ｄ８１６では書込終了後の記録メディア７の空き容量と共に、所定の記録メディアライタ１７から記録メディア７の取出を指示する文字が表示され、ユーザーが記録メディア７（ここではＭＤ）をメディア挿入・排出口１７ａから取り出すと、Ｄ８１８に進む。一方、Ｄ８１７でも書込終了後の記録メディア７の空き容量と共に、所定の記録メディアライタ１７’（ここでは○番）から記録メディア７の取出を指示する文字が表示され、ユーザーが記録メディア７（ここではＭＤ）をメディア挿入・排出口１７ａから取り出すと、Ｄ８１８に進む。Ｄ８１８では発行や支払に関する情報の他に音楽データに関連する情報を記録した前記レシート９の取出を指示する文字が表示され、ユーザーがレシート９をレシート排出口２０ａから取り出すと、「引換」工程が終了する。
【０２２０】
以上に述べたキオスク端末１０，１０’によれば、例えば複数の音楽データを選択してオリジナルのＭＤを作成する場合や、長篇の映画を選択する場合、あるいは前記「その都度配信」方式で配信された音楽データをハードディスク１６に記憶せずに記録メディア７に直接書き込む場合等において、それらを記録メディア７に書き込むためにはある程度の待ち時間が必要とされるところ、その待ち時間を利用して、例えばファミリーレストラン等で食事をしたり、コンビニエンスストア等で買い物をしたりできるため、書込に要する待ち時間を有効に活用でき、ユーザー及び店舗の双方にとってメリットが大きい。
【０２２１】
［４．デジタル情報提供装置の変形例］
最後に、本発明に係るデジタル情報提供装置の変形例について説明する。
【０２２２】
まず、音楽データは、音楽配信サーバ４０から配信されるものには限られず、あたかもディスクチェンジ式のカラオケ装置のように、記憶媒体（例えば読出専用デジタル多用途ディスク（ＤＶＤ−ＲＯＭ）等）に予め記憶され、キオスク端末１０，１０’に取り付けられた記憶媒体から読み出されることにより提供され、記憶媒体を取り替えることにより、音楽データの内容が更新されるものでも良い。即ち、音楽データは、必ずしも音楽配信サーバ４０から配信されるものには限られない。
【０２２３】
また、音楽データは、タッチパネル式ディスプレイ１５（ディスプレイ１５ａ）に表示されるリスト８から選択されるものには限られず、あたかもカラオケボックスにおける選曲のように、予め配布される歌本に記載されたコード番号を入力することにより選択されるものでも良い。
【０２２４】
さらに、音楽データは、必ずしも有料で提供されるものには限られず、例えば店舗と音楽配信サーバ４０とのタイアップにより，又は宣伝を目的として無料で提供されるものでも良い。この場合には、前記音楽データの対価はゼロとして計算される。
【０２２６】
【発明の効果】
まず、請求項１に係る発明によれば、選択されたデジタル情報（即ちデジタルコンテンツ）を書き込んだ記録メディアをユーザー（例えば顧客等）に提供（主として販売）するにあたり、該デジタル情報を所定の記録メディアに書き込むために必要とされる待ち時間を利用して、ユーザーが食事や買い物等を行うことができ、該待ち時間を有効に活用できるようなデジタル情報提供装置を提供することができる。
【０２２７】
従って、請求項１に係る発明によれば、ユーザーが、例えば食事や買い物の途中等の手すきの時間を見計らってデジタル情報を選択しておき、その後に仕上がり予定の時間，時刻，又は日時等の終了予定の報知に基づいて、食事や買い物の終了後等の好みの時間を見計らってデジタル情報が書き込まれた記録メディアの引換を行うことにより、デジタル情報の書込が終了した記録メディアを直ちに受け取ることができ、またデジタル情報の書込に要する待ち時間を利用して食事や買い物等を行えるという効果を奏する。また、書込が終了した記録メディアを複数貯留できるので、複数のユーザーによるデジタル情報の選択に対応して、書込を効率良く行うことができる。
【０２２８】
また、請求項２に係る発明によれば、請求項１に係る発明の効果に加えて、選択受付手段が表示手段を有するので、選択可能なデジタル情報のリストを見ながら、デジタル情報を容易に選択することができるという効果を奏する。
【０２３２】
また、請求項３に係る発明によれば、請求項１又は２に係る発明の効果に加えて、デジタル情報提供装置が複数種類の記録メディア書込手段を備えるので、様々な種類の記録メディアの受付，及び該記録メディアへのデジタル情報の書込ができるという効果を奏する。
【０２３３】
また、請求項４に係る発明によれば、請求項１〜３のいずれか１つに係る発明の効果に加えて、デジタル情報提供装置が呼出手段と接続されているので、書込の終了後であって終了予定後に所定時間を経過した場合に、ユーザーを呼び出しできる。従って、記録メディアの引換を促すことができるので、ユーザーにとって便利であると共に、記録メディアの滞留を防止できるので、デジタル情報提供装置の稼働率を上げることができるという効果を奏する。
【０２３４】
また、請求項５に係る発明によれば、請求項１〜４のいずれか１つに係る発明の効果に加えて、記録メディアが内部留保又は強制排出されるので、書込の終了後であって終了予定後に所定時間を経過した場合に、排出されていない記録メディアを処分できる。従って、記録メディアの滞留を防止できるので、デジタル情報提供装置の稼働率を上げることができるという効果を奏する。
【０２３５】
また、請求項６に係る発明によれば、請求項１〜５のいずれか１つに係る発明の効果に加えて、デジタル情報提供装置が、記録媒体を受け付けた後であって記録メディアを排出する前に、デジタル情報の対価を決済するための処理を行うので、デジタル情報の引換の際に決済処理が行われる後払い方式のデジタル情報提供装置を提供することができるという効果を奏する。
【０２３６】
また、請求項７に係る発明によれば、請求項１〜５のいずれか１つに係る発明の効果に加えて、デジタル情報提供装置が、記録媒体を受け付ける前に、デジタル情報の対価を決済するための処理を行うので、デジタル情報の選択の受付の際に決済処理が行われる先払い方式のデジタル情報提供装置を提供することができるという効果を奏する。
【０２３７】
また、請求項８に係る発明によれば、請求項６又は７に係る発明の効果に加えて、デジタル情報の対価が、ユーザーが所有している現金によって支払可能であるので、通常の買い物と同様の方法によって対価の支払ができるという効果を奏する。
【０２３８】
また、請求項９に係る発明によれば、請求項６又は７に係る発明の効果に加えて、デジタル情報の対価が、ユーザーが所有している有価価値の大きさを特定可能な情報が記録された有価価値記録媒体の記録情報を読み取ることにより特定される該有価価値の大きさ（例えば電子マネー，前払金，又は預貯金等）によって支払可能であるので、現金を所持していなくても多様な方法によって対価の支払ができるという効果を奏する。
【０２３９】
また、請求項１０に係る発明によれば、請求項１〜９のいずれか１つに係る発明の効果に加えて、選択可能なデジタル情報として発売前のデジタル情報も含むので、ユーザーにとって便利であると共に、ユーザーが受付と引換の少なくとも二回に亘って来店し、食事や買い物等をする機会が増えるため、デジタル情報提供装置を設置する店舗にとっても有利であるという効果を奏する。
【０２４０】
また、請求項１１に係る発明によれば、請求項１〜１０のいずれか１つに係る発明の効果に加えて、デジタル情報が事前配信されるので、その都度デジタル情報の配信を受ける必要がなく、通信費の削減や、デジタル情報の迅速なダウンロードを図ることができるという効果を奏する。
【０２４１】
また、請求項１２に係る発明によれば、請求項１〜１０のいずれか１つに係る発明の効果に加えて、デジタル情報がその都度配信されるので、最新のデジタル情報（例えば報道記事や報道写真等）を提供できるという効果を奏する。
【０２４２】
また、請求項１３に係る発明によれば、請求項１〜１２のいずれか１つに係る発明の効果に加えて、デジタル情報が、デジタル音楽情報，デジタル文字情報，及びデジタル画像情報から選択される一種以上からなる情報であるので、様々な場面に応じて、多様なデジタル情報を提供することができるという効果を奏する。
【０２４３】
また、請求項１４に係る発明によれば、請求項１３に係る発明の効果に加えて、デジタル情報提供装置が試聴手段を備えるので、デジタル情報がデジタル音楽情報を含む場合に、ユーザーがそのデジタル音楽情報の内容を確かめることができるという効果を奏する。
【０２４４】
また、請求項１５に係る発明によれば、請求項１〜１４のいずれか１つに係る発明の効果に加えて、デジタル情報提供装置が発行手段を備えるので、歌詞やジャケット写真等の選択されたデジタル情報に関連する情報を、例えばレシートに印刷し、あるいはデジタルデータとして記録メディアに記録して提供できるという効果を奏する。
【０２４５】
さらに、請求項１６に係る発明によれば、請求項１〜１５のいずれか１つに係る発明の効果に加えて、終了予定の報知が、ユーザーが目視可能なように所定の記録媒体（例えば引換カードや確認用レシート等）に記録されることにより行われるので、ユーザーが仕上がり予定の日時等を容易に確認することができるという効果を奏する。
【図面の簡単な説明】
【図１】図１は、デジタル情報提供装置の構成の第一実施形態を表す機能ブロック図である。
【図２】図２は、デジタル情報提供装置の外観の第一実施形態を表す斜視図である。
【図３】図３は、デジタル情報提供装置の構成の第二実施形態を表す機能ブロック図である。
【図４】図４（ａ）は、デジタル情報提供装置の外観の第二実施形態を表す斜視図であり、図４（ｂ）は、記録メディアライタの一例を表す正面図である。
【図５】図５（ａ）は、会員カードの一例を表す正面図であり、図５（ｂ）は、引換カードの一例を表す正面図であり、図５（ｃ）は、確認用レシートの一例を表す正面図である。
【図６】図６（ａ）は、音楽データのリストの一例を表す正面図であり、図６（ｂ）は、レシートの一例を表す正面図である。
【図７】図７は、デジタル情報提供装置の動作のパターンを表すフローチャートである。
【図８】図８は、「受付」工程（※１）に関するデジタル情報提供装置の動作の一例を表すフローチャートである。
【図９】図９は、図８に続く図である。
【図１０】図１０は、「引換」工程（※２）に関するデジタル情報提供装置の動作の一例を表すフローチャートである。
【図１１】図１１は、対価を現金によって支払う場合における「決済処理」に関するデジタル情報提供装置の動作の一例を表すフローチャートである。
【図１２】図１２は、対価を電子マネー（ＩＣカード）によって支払う場合における「決済処理」に関するデジタル情報提供装置の動作の一例を表すフローチャートである。
【図１３】図１３は、対価を前払金（プリペイドカード）によって支払う場合における「決済処理」に関するデジタル情報提供装置の動作の一例を表すフローチャートである。
【図１４】図１４は、対価を預貯金（キャッシュカード）又は信用（クレジットカード）によって支払う場合における「決済処理」に関するデジタル情報提供装置の動作の一例を表すフローチャートである。
【図１５】図１５は、「受付」工程（※１）に関する後払い方式のデジタル情報提供装置の画面表示の一例を表す正面図である。
【図１６】図１６は、図１５に続く図である。
【図１７】図１７は、「引換」工程（※２）に関する後払い方式のデジタル情報提供装置の画面表示の一例を表す正面図である。
【図１８】図１８は、図１７に続く図である。
【図１９】図１９は、図１８に続く図である。
【符号の説明】
１…デジタル情報提供システム
２…インターネット
３ａ…デジタル総合回線
３ｂ…ＬＡＮ
４…会員カード
４ａ…磁気ストライプ部
５…引換カード
５ａ…磁気ストライプ部
５ｂ…情報表示部
６…確認用レシート
７…記録メディア
８…リスト
９…レシート
１０…キオスク端末（デジタル情報提供装置）
１１ａ…通信部
１１ｂ…通信部
１２…制御部
１３…カードリーダ
１３ａ…カード挿入・排出口
１４…引換カードストッカ
１５…タッチパネル式ディスプレイ
１５ａ…ディスプレイ
１５ｂ…キーボード
１６…ハードディスク
１７…記録メディアライタ
１７ａ…メディア挿入・排出口
１７ｂ…情報表示部
１７ｃ…ランプ
１７ｄ…取出ボタン
１８…記録メディアチェンジャ
１９…ヘッドフォン
２０…プリンタ
２０ａ…レシート排出口
２１…支払受付装置
２２…現金
２２ａ…紙幣挿入口
２２ｂ…硬貨挿入口
２２ｃ…釣銭排出口
２３…ＩＣカード
２３ａ…ＩＣカード挿入口
２４…プリペイドカード
２４ａ…プリペイドカード挿入口
２５…キャッシュカード
２５ａ…カード挿入口
２６…クレジットカード
３０…店舗管理装置
３１…通信部
３２…制御部
３３…会員ＤＢ
３４…販売管理ＤＢ
３５…店内放送装置
４０…音楽配信サーバ
４１…通信部
４２…制御部
４３…音楽ＤＢ
４４…ハードディスク
５１…電子マネー管理会社
５２…プリペイドカード会社
５３…銀行
５４…クレジットカード会社
【図１】
0004610063.tif 000002
【図２】
0004610063.tif 000003
【図３】
0004610063.tif 000004
【図４】
0004610063.tif 000005
【図５】
0004610063.tif 000006
【図６】
0004610063.tif 000007
【図７】
0004610063.tif 000008
【図８】
0004610063.tif 000009
【図９】
0004610063.tif 000010
【図１０】
0004610063.tif 000011
【図１１】
0004610063.tif 000012
【図１２】
0004610063.tif 000013
【図１３】
0004610063.tif 000014
【図１４】
0004610063.tif 000015
【図１５】
0004610063.tif 000016
【図１６】
0004610063.tif 000017
【図１７】
0004610063.tif 000018
【図１８】
0004610063.tif 000019
【図１９】
0004610063.tif 000020